(57)【要約】【課題】インク等の液体の保持部材を圧縮保持した上で、カートリッジの確実な位置決めと装着性の向上とを図る。【解決手段】カートリッジ４は、キャリッジ８に載置され、筐体４２０の凹部４２１に液体保持部材４６０を収納する。筐体４２０を構成する第１側壁４２５は、第１端壁４２３から第２端壁４２４に向かう第１方向に、第１端壁４２３の側から第１側壁部分４２５ａと第２側壁部分４２５ｂとを並べて備える。そして、第１側壁部分４２５ａは、底壁４２２の側に位置して、底壁４２２に対し実質的に垂直に延びる第１側壁領域４２５ａ１と、蓋４０１の側に位置し、底壁４２２に対し傾斜する第２側壁領域４２５ａ２とを有する。第２側壁部分４２５ｂは、底壁４２２に対し傾斜して底壁４２２から延びる。【選択図】図１０
2015168166.tif 000002
【特許請求の範囲】
【請求項１】
液体噴射装置に装着可能な液体供給ユニットであって、
前記液体噴射装置に前記液体供給ユニットを装着したときに底に位置する底壁部と、
前記底壁部に対向する上壁部と、
前記底壁部と前記上壁部とに交差する第１側壁部と、
前記底壁部と前記上壁部とに交差し、前記第１側壁部に対向する第２側壁部と、
前記底壁部と前記上壁部と前記第１側壁部と前記第２側壁部とに交差する第１端壁部と、
前記底壁部と前記上壁部と前記第１側壁部と前記第２側壁部とに交差し、前記第１端壁部に対向する第２端壁部と、
前記底壁部と前記上壁部と前記第１側壁部と前記第２側壁部と前記第１端壁部と前記第２端壁部とに囲まれた領域に配置される液体保持部材と、を備え、
前記第１側壁部は前記第１端壁部から前記第２端壁部に向かう第１方向に並ぶ第１部分と第２部分とを有し、
前記第１部分が占める前記第１側壁部の外面は、
前記上壁部よりも前記底壁部の近くに、前記底壁部に対し実質的に垂直となる第１領域と、
前記底壁部よりも前記上壁部の近くに、前記底壁部に対し傾斜する第２領域と、を有し、
前記第２部分は前記底壁部に対し傾斜する、液体供給ユニット。
【請求項２】
請求項１に記載の液体供給ユニットであって、
前記第１部分が占める前記第１側壁部の外面は、前記第１領域と前記第２領域との間に位置する第３領域を有し、
前記第３領域における壁の厚みは前記第１領域における壁の厚みおよび前記第２領域における壁の厚みより薄い、液体供給ユニット。
【請求項３】
請求項１または請求項２に記載の液体供給ユニットであって、
前記第２側壁部の前記第１側壁部に対向する内壁面は前記液体保持部材を均一の角度で圧縮できるよう傾斜形成されている、液体供給ユニット。
【請求項４】
請求項１から請求項３のいずれか一項に記載の液体供給ユニットであって、
前記第２側壁部の前記第１側壁部に対向する内面は平面である、液体供給ユニット。
【請求項５】
請求項１から請求項４のいずれか一項に記載の液体供給ユニットであって、
前記底壁部に液体供給孔が形成され、
前記上壁部から前記底壁部に向かう方向に平面視したとき、前記液体供給孔は前記第２部分と前記第２側壁部との間に位置する、液体供給ユニット。
【請求項６】
請求項１から請求項５のいずれか一項に記載の液体供給ユニットであって、
前記第１方向において、前記第１部分の幅より前記第２部分の幅が広い、液体供給ユニット。
【請求項７】
請求項１から請求項６のいずれか一項に記載の液体供給ユニットであって、
前記第２部分の前記底壁部に対してなす角は、前記第２領域の前記底壁部に対してなす角より大きい、液体供給ユニット。
【請求項８】
請求項１から請求項６のいずれか一項に記載の液体供給ユニットであって、
前記第２部分は、前記上壁部の側で前記底壁部に対してなす角が前記第２領域が前記底壁部に対してなす角と等しくされ、前記第２領域と前記第１方向に連続して形成されている、液体供給ユニット。
【請求項９】
請求項１から請求項８のいずれか一項に記載の液体供給ユニットであって、
前記第１側壁部は前記第１方向に前記第１部分と前記第２部分と並ぶ第３部分とを有し、
前記第１方向において前記第２部分は前記第１部分と前記第３部分との間に位置し、
前記第３部分が占める前記第１側壁部の外面は、
前記上壁部よりも前記底壁部の近くに、前記底壁部に対し実質的に垂直となる第４領域を有する、液体供給ユニット。
【請求項１０】
請求項９に記載の液体供給ユニットであって、
液体導入部を有するヘッドユニットと、電極を有するキャリッジユニットとを備える前記液体噴射装置に装着可能であり、
前記第１端壁部には前記ヘッドユニットに係合可能な係合部が設けられ、
前記第２端壁部には前記キャリッジユニットに電気的接続可能な端子が配置され、
前記第１部分は前記ヘッドユニットに当接可能であり、
前記第３部分の前記第４領域は前記キャリッジユニットに当接可能である、液体供給ユニット。
【請求項１１】
液体噴射装置に装着可能な液体供給ユニットであって、
前記液体噴射装置に前記液体供給ユニットを装着したときに底に位置する底壁部と、
前記底壁部に対向する上壁部と、
前記底壁部と前記上壁部とに交差する第１側壁部と、
前記底壁部と前記上壁部とに交差し、前記第１側壁部に対向する第２側壁部と、
前記底壁部と前記上壁部と前記第１側壁部と前記第２側壁部とに交差する第１端壁部と、
前記底壁部と前記上壁部と前記第１側壁部と前記第２側壁部とに交差し、前記第１端壁部に対向する第２端壁部と、
前記底壁部と前記上壁部と前記第１側壁部と前記第２側壁部と前記第１端壁部と前記第２端壁部とに囲まれた領域に配置される液体保持部材と、を備え、
前記第１側壁部は前記第１端壁部から前記第２端壁部に向かう第１方向に並ぶ第１部分と第２部分とを有し、
前記第１部分は前記底壁部に対し実質的に垂直となり、
前記第２部分は前記底壁部に対し傾斜する、液体供給ユニット。
【請求項１２】
請求項１１に記載の液体供給ユニットであって、
前記第１側壁部は前記第１方向に前記第１部分と前記第２部分と並ぶ第３部分とを有し、
前記第１方向において前記第２部分は前記第１部分と前記第３部分との間に位置し、
前記第３部分は前記底壁部に対し実質的に垂直となる、液体供給ユニット。
【発明の詳細な説明】
【技術分野】
【０００１】
本発明は、液体供給ユニットに関する。
【背景技術】
【０００２】
液体を液体噴射装置に供給可能な液体供給ユニットとしては、従来から、液体噴射装置の一例であるプリンターにインクを供給するインクカートリッジ（単に「カートリッジ」ともいう。）が知られている。カートリッジは、通常、インクを収容する多孔質のインク保持部材を密閉状の筐体内に収納してプリンターのキャリッジに装着され、筐体底壁のインク供給孔からインクを供給している（例えば、特許文献１等）。
【先行技術文献】
【特許文献】
【０００３】
【特許文献１】特開２０００−３３７０７号公報
【特許文献２】特開２００８−７４１００号公報
【発明の概要】
【発明が解決しようとする課題】
【０００４】
特許文献１で提案されたカートリッジは、カートリッジ側面をその底部に到るまでテーパーとすることで、インク保持部材を筐体底壁の側ほど圧縮して保持する。よって、筐体底壁の側においてインク保持部材の細孔が小さくなってインク移動に関与する毛管力が高まるので、安定したインク供給の観点から好ましい。しかしながら、キャリッジへのカートリッジの位置決めがテーパー状の側面でなされる都合上、カートリッジの浮き上がりが危惧され、キャリッジの移動方向に沿ったカートリッジの位置決めにおいて改善の余地が指摘されるに到った。
【０００５】
その一方、特許文献２で提案されたカートリッジでは、カートリッジの規制部としてキャリッジに設けたリブのリブ形状に合わせて、カートリッジ側面を、その底部側において一律に垂直面としている。よって、キャリッジの移動方向に沿った位置決めを向上できる。しかしながら、カートリッジ規制部としてのリブとの当接領域がカートリッジの前後方向の全域に亘るので、キャリッジへのカートリッジの装着の際には、リブの延在方向にカートリッジが沿うようなカートリッジ姿勢を取る必要があり、装着性の向上の余地がある。こうしたことから、インク等の液体の保持部材を圧縮保持した上で、カートリッジの確実な位置決めと装着性の向上とを図ることが要請されるに到った。また、液体を収容して供給する液体供給ユニットや、当該ユニットから液体の供給を受ける液体噴射装置、液体供給ユニットと液体噴射装置とを備えたシステム等において、小型化、低コスト化、省資源化、製造の容易化、使い勝手の向上等が望まれている。
【課題を解決するための手段】
【０００６】
本発明は、上述の課題の少なくとも一部を解決するためになされたものであり、以下の形態として実現することが可能である。
【０００７】
（１）本発明の一形態によれば、液体噴射装置に装着可能な液体供給ユニットが提供される。この液体供給ユニットは、前記液体噴射装置に前記液体供給ユニットを装着したときに底に位置する底壁部と、前記底壁部に対向する上壁部と、前記底壁部と前記上壁部とに交差する第１側壁部と、前記底壁部と前記上壁部とに交差し、前記第１側壁部に対向する第２側壁部と、前記底壁部と前記上壁部と前記第１側壁部と前記第２側壁部とに交差する第１端壁部と、前記底壁部と前記上壁部と前記第１側壁部と前記第２側壁部とに交差し、前記第１端壁部に対向する第２端壁部と、前記底壁部と前記上壁部と前記第１側壁部と前記第２側壁部と前記第１端壁部と前記第２端壁部とに囲まれた領域に配置される液体保持部材と、を備える。そして、前記第１側壁部は前記第１端壁部から前記第２端壁部に向かう第１方向に並ぶ第１部分と第２部分とを有し、前記第１部分が占める前記第１側壁部の外面は、前記上壁部よりも前記底壁部の近くに、前記底壁部に対し実質的に垂直となる第１領域と、前記底壁部よりも前記上壁部の近くに、前記底壁部に対し傾斜する第２領域と、を有し、前記第２部分は前記底壁部に対し傾斜する。
【０００８】
この形態の液体供給ユニットは、液体噴射装置への装着に当たり、液体噴射装置には、底壁部に対し実質的に垂直な第１領域である第１部分の第１領域を当接させればよく、第１端壁部から第２端壁部に向かう第１方向に第１部分と並ぶ第２部分については、当接を要しない。よって、液体噴射装置に、第１側壁部の全域を当接させる必要がない。この結果、この形態の液体供給ユニットによれば、液体噴射装置への装着に際しての液体供給ユニットの姿勢の自由度が高まり、装着性が向上する。また、液体噴射装置には、底壁部に対し実質的に垂直な第１領域を当接できるので、この形態の液体供給ユニットによれば、ユニットの位置決めを確実に図ることができる。これに加え、液体噴射装置に当接する第１領域である第１部分の第１領域より上壁部の側の第２領域と、上記の第１方向に第１部分と並ぶ第２部分については、共に底壁部に対し傾斜させている。よって、この形態の液体供給ユニットによれば、液体保持部材を底壁部の側ほど圧縮して保持できる。
【０００９】
（２）上記形態の液体供給ユニットにおいて、前記第１部分が占める前記第１側壁部の外面は、前記第１領域と前記第２領域との間に位置する第３領域を有し、前記第３領域における壁の厚みは前記第１領域における壁の厚みおよび前記第２領域における壁の厚みより薄い構成にしてもよい。これによれば、液体保持部材を囲む第１側壁部を、底壁部の側から第１領域、第３領域、第２領域と繋げ、第３領域において壁厚が薄くなるので、液体保持部材の配置される領域の容積を増やすことができる。また、第１側壁部の外壁側の形状が上記の第１から第３の領域の繋がりにより不均一となっても、第１側壁部の内壁側の形状を均一、または均一に近い形状に仕上げることができる。
【００１０】
（３）上記いずれかの形態の液体供給ユニットにおいて、前記第２側壁部の前記第１側壁部に対向する内壁面は前記液体保持部材を均一の角度で圧縮できるよう傾斜形成されている構成にしてもよい。これによれば、第２側壁部の外壁側の形状に拘わらず、液体保持部材を底壁部の側ほど圧縮が進むようにして保持できる。また、第２側壁部の外壁側の形状に拘わらず第２側壁部の内壁側の形状が均一なため、成形金型形状を簡易にすることができる。
【００１１】
（４）上記いずれかの形態の液体供給ユニットにおいて、前記第２側壁部の前記第１側壁部に対向する内面は平面である構成にしてもよい。これによれば、第２側壁部の外壁側の形状に拘わらず第２側壁部の内壁側の形状が均一なため、成形金型形状を簡易にすることができる。
【００１２】
（５）上記いずれかの形態の液体供給ユニットにおいて、前記底壁部に液体供給孔が形成され、前記上壁部から前記底壁部に向かう方向に平面視したとき、前記液体供給孔は前記第２部分と前記第２側壁部との間に位置する構成にしてもよい。これによれば、液体供給孔を、第１側壁部の第１部分から離すことができるので、液体保持部材の中央或いは中央近傍に位置させることができる。よって、この形態の液体供給ユニットによれば、液体保持部材のほぼ全域から液体を液体供給孔に到達させることができる。
【００１３】
（６）上記いずれかの形態の液体供給ユニットにおいて、前記第１方向において、前記第１部分の幅より前記第２部分の幅が広い構成にしてもよい。これによれば、次の利点がある。第１部分は、第１領域と第２領域とを有することから形状が複雑となり、液体供給ユニットとしての強度確保に対しての対処を施す余地が少ない。これに対し、第２部分は、第１部分のように第１領域と第２領域とを有する必要はなく、底壁部に対して傾斜すればよいので、その形状が単純であることから、強度確保に対しての対処を施す余地が残されている。よって、この形態の液体供給ユニットによれば、単純な形状の第２部分の幅が広い分だけ、強度確保の対処の自由度が高まり有益である。
【００１４】
（７）上記いずれかの形態の液体供給ユニットにおいて、前記第２部分の前記底壁部に対してなす角は、前記第２領域の前記底壁部に対してなす角より大きい構成にしてもよい。これによれば、次の利点がある。第２領域は、第１部分において、底壁部よりも上壁部の近くに位置して底壁部に対して傾斜し、第２部分は、この第２領域を有する第１部分と上記の第１方向に並んで位置して底壁部に対し傾斜する。そうすると、底壁部に対して第２部分のなす角と第２領域のなす角とが同じであれば、上壁部における第２部分の周縁部と第２領域の周縁部がずれてしまうことになる。これに対し、この形態の液体供給ユニットでは、底壁部に対して第２部分のなす角を第２領域のなす角より大きくしたので、上壁部における第１側壁部の第２部分の周縁部と第２領域の周縁部とのズレを小さくできる。この結果、この形態の液体供給ユニットによれば、上壁部における第２側壁部の形状の単調化と、上壁部についてもその形状の単調化とを図ることができる。
【００１５】
（８）上記いずれかの形態の液体供給ユニットにおいて、前記第２部分は、前記上壁部の側で前記底壁部に対してなす角が前記第２領域が前記底壁部に対してなす角と等しくされ、前記第２領域と前記第１方向に連続して形成されている構成にしてもよい。これによれば、上壁部の側での第１側壁部の第２部分の周縁部と第２領域の周縁部とのズレを起こさないので、上壁部の側での第１側壁部の形状の単調化と、上壁部についてもその形状の単調化とを図ることができる。
【００１６】
（９）上記いずれかの形態の液体供給ユニットにおいて、前記第１側壁部は前記第１方向に前記第１部分と前記第２部分と並ぶ第３部分とを有し、前記第１方向において前記第２部分は前記第１部分と前記第３部分との間に位置し、前記第３部分が占める前記第１側壁部の外面は、前記上壁部よりも前記底壁部の近くに、前記底壁部に対し実質的に垂直となる第４領域を有する構成にしてもよい。これによれば、液体噴射装置には、第１部分とは第２部分を挟んで離間した第３部分の第４領域も当接できるので、液体噴射装置に対して液体供給ユニットをより確実に位置決めできると共に、装着後の液体供給ユニットの装着姿勢をより安定化できる。
【００１７】
（１０）上記形態の液体供給ユニットにおいて、液体導入部を有するヘッドユニットと、電極を有するキャリッジユニットとを備える前記液体噴射装置に装着可能であり、前記第１端壁部には前記ヘッドユニットに係合可能な係合部が設けられ、前記第２端壁部には前記キャリッジユニットに電気的接続可能な端子が配置され、前記第１部分は前記ヘッドユニットに当接可能であり、前記第３部分の前記第４領域は前記キャリッジユニットに当接可能である構成にしてもよい。これによれば、液体噴射装置に対して液体供給ユニットをより確実に位置決めできると共に、装着後の液体供給ユニットの装着姿勢をより安定化できる。
【００１８】
（１１）本発明の他の形態によれば、液体を供給する液体供給ユニットが提供される。この液体供給ユニットは、液体噴射装置に装着可能な液体供給ユニットであって、前記液体噴射装置に前記液体供給ユニットを装着したときに底に位置する底壁部と、前記底壁部に対向する上壁部と、前記底壁部と前記上壁部とに交差する第１側壁部と、前記底壁部と前記上壁部とに交差し、前記第１側壁部に対向する第２側壁部と、前記底壁部と前記上壁部と前記第１側壁部と前記第２側壁部とに交差する第１端壁部と、前記底壁部と前記上壁部と前記第１側壁部と前記第２側壁部とに交差し、前記第１端壁部に対向する第２端壁部と、前記底壁部と前記上壁部と前記第１側壁部と前記第２側壁部と前記第１端壁部と前記第２端壁部とに囲まれた領域に配置される液体保持部材と、を備える。そして、前記第１側壁部は前記第１端壁部から前記第２端壁部に向かう第１方向に並ぶ第１部分と第２部分とを有し、前記第１部分は前記底壁部に対し実質的に垂直となり、前記第２部分は前記底壁部に対し傾斜する。
【００１９】
この形態の液体供給ユニットによっても、液体噴射装置への装着に当たり、液体噴射装置には、底壁部に対し実質的に垂直な第１部分を当接させればよく、第１端壁部から第２端壁部に向かう第１方向に第１部分と並ぶ第２部分については、当接を要しない。よって、液体噴射装置に、第１側壁部の全域を当接させる必要がない。この結果、この形態の液体供給ユニットによっても、装着性の向上等の既述した効果を奏することができる。
【００２０】
（１２）上記形態の液体供給ユニットにおいて、前記第１側壁部は前記第１方向に前記第１部分と前記第２部分と並ぶ第３部分とを有し、前記第１方向において前記第２部分は前記第１部分と前記第３部分との間に位置し、前記第３部分は前記底壁部に対し実質的に垂直となる構成にしてもよい。これによれば、液体噴射装置には、底壁部に対し実質的に垂直な第３部分も当接できるので、液体噴射装置に対して液体供給ユニットをより確実に位置決めできると共に、装着後の液体供給ユニットの装着姿勢をより安定化できる。
【００２１】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２２】
また、本発明は、種々の態様で実現することが可能であり、例えば、液体供給ユニットから液体の供給を受ける液体噴射装置、液体供給ユニットと液体噴射装置とを備えたシステム等の形態で実現することができる。
【図面の簡単な説明】
【００２３】
【図１】液体噴射システム１の概略構成を示す斜視図である。
【図２】液体噴射システム１の内部構成を概略的に示す斜視図である。
【図３】カートリッジ装着済みの状態でのキャリッジ８の外観を概略的に示す斜視図である。
【図４】カートリッジ未装着のキャリッジ８の概略斜視図である。
【図５】カートリッジ未装着のカートリッジ装着部７を図４と異なる方向から見て示す概略分解斜視図である。
【図６】カートリッジ未装着のキャリッジ８の底面側からの概略斜視図である。
【図７】図３における７−７線に沿った概略断面図である。
【図８】カートリッジ４の外観斜視図である。
【図９】カートリッジ４のＸ方向側面図である。
【図１０】カートリッジ４の分解斜視図である。
【図１１】カートリッジ４を底面側から見た外観斜視図である。
【図１２】回路基板４１０を未装着のカートリッジ４を底面側から見た外観斜視図である。
【図１３】図９における１３−１３線にて筐体４２０の第１側壁部分４２５ａを切断して示す概略断面を壁面角度の様子と合わせて示す説明図である。
【図１４】図９における１４−１４線にて筐体４２０の第２側壁部分４２５ｂを切断して示す概略断面を壁面角度の様子と合わせて示す説明図である。
【図１５】図９における１５−１５線にて筐体４２０の第３側壁部分４２５ｃを切断して示す概略断面図である。
【図１６】蓋４０１から底壁４２２に向かう方向に筐体４２０を平面視した平面図である。
【図１７】カートリッジ５の外観斜視図である。
【図１８】カートリッジ５のＸ方向側面図である。
【図１９】カートリッジ５の分解斜視図である。
【図２０】カートリッジ５を底面側から見た外観斜視図である。
【図２１】回路基板５１０を未装着のカートリッジ５を底面側から見た外観斜視図である。
【図２２】図１８における２２−２２線にて筐体５２０の第１側壁部分５２５ａを切断して示す概略断面図である。
【図２３】図１８における２３−２３線にて筐体５２０の第２側壁部分５２５ｂを切断して示す概略断面図である。
【図２４】図１８における２４−２４線にて筐体５２０の第３側壁部分５２５ｃを切断して示す概略断面図である。
【図２５】キャリッジ８へのカートリッジ４とカートリッジ５の装着の様子を概略的に示す説明図である。
【図２６】カートリッジ６００の分解斜視図である。
【図２７】図２６における２７−２７線にて筐体６２０の第１側壁部分６２５ａを切断して示す概略断面図である。
【図２８】図２６における２８−２８線にて筐体６２０の第２側壁部分６２５ｂを切断して示す概略断面図である。
【図２９】図２６における２９−２９線にて筐体６２０の第３側壁部分６２５ｃを切断して示す概略断面図である。
【図３０】図２７相当に第１変形例の筐体６２０Ａの第１側壁部分６２５ａを切断して示す概略断面図である。
【図３１】図２８相当に筐体６２０Ａの第２側壁部分６２５ｂを切断して示す概略断面図である。
【図３２】図２９相当に筐体６２０Ａの第３側壁部分６２５ｃを切断して示す概略断面図である。
【図３３】第２変形例の筐体４２０Ａの要部を示す外観斜視図である。
【図３４】図１３相当に変形例の筐体４２０Ａの第１側壁部分４２５ａを切断して示す概略断面図である。
【図３５】図１４相当に筐体４２０Ａの第２側壁部分４２５ｂを切断して示す概略断面図である。
【図３６】図１５相当に筐体４２０Ａの第３側壁部分４２５ｃを切断して示す概略断面図である。
【図３７】第３変形例の筐体４２０Ｂの要部を示す外観斜視図である。
【図３８】図１３相当に変形例の筐体４２０Ｂの第１側壁部分４２５ａを切断して示す概略断面図である。
【図３９】図１４相当に筐体４２０Ｂの第２側壁部分４２５ｂを切断して示す概略断面図である。
【図４０】図１５相当に筐体４２０Ｂの第３側壁部分４２５ｃを切断して示す概略断面図である。
【図４１】第４変形例の筐体４２０Ｃの要部を示す外観斜視図である。
【図４２】図１３相当に変形例の筐体４２０Ｃの第１側壁部分４２５ａを切断して示す概略断面図である。
【図４３】図１４相当に筐体４２０Ｃの第２側壁部分４２５ｂを切断して示す概略断面図である。
【図４４】図１５相当に筐体４２０Ｃの第３側壁部分４２５ｃを切断して示す概略断面図である。
【発明を実施するための形態】
【００２４】
次に、本発明の実施の形態を以下の順序で説明する。
Ａ〜Ｂ．実施形態：
Ｃ．各種変形例：
【００２５】
Ａ．実施形態：
Ａ−１：液体噴射システム１の構成：
図１は液体噴射システム１の概略構成を示す斜視図、図２は液体噴射システム１の内部構成を概略的に示す斜視図である。図１および図２には、互いに直交するＸＹＺ軸が描かれている。このＸ軸は、後述のキャリッジ８の往復動作方向に沿った軸であり、キャリッジ８の往復動に伴う印字の際の主走査方向に沿った軸である。Ｙ軸は、机等に水平に載置された液体噴射システム１における用紙の給送経路方向に沿った軸であり、キャリッジ８の往復動に伴う印字の際の副走査方向に沿った軸である。Ｚ軸は、机等に水平に載置された液体噴射システム１における前後方向に沿った軸である。図２以降に示す各図についても必要に応じてＸＹＺ軸を付している。図１および図２のＸＹＺ軸は他の図のＸＹＺ軸にも対応している。液体噴射システム１は、液体噴射装置としてのプリンター１０と、２種類のカートリッジ４，５と、を備える。図２に示すように、本実施形態の液体噴射システム１では、プリンター１０のカートリッジ装着部７にカートリッジ４，５が着脱可能に装着される。このカートリッジ装着部７は、インク吐出を図る吐出ヘッド８ｓ（図６参照）を備える。カートリッジ装着部７は、キャリッジ８に装着され、通常、キャリッジ８と一体とされている。以下、カートリッジ４を「第１のカートリッジ４」と、カートリッジ５を「第２のカートリッジ５」と適宜称することとする。また、カートリッジ装着部７は「ヘッドユニット」と称することもできる。その際、カートリッジ装着部７の装着されていないキャリッジ８を「キャリッジユニット」と称し区別するものとする。
【００２６】
第１のカートリッジ４は、単色インク、例えばブラックインクを収容する。第２のカートリッジ５は、複数の色のインクを収容するものであり、本実施形態では、内部に３つの液体収容部が区画形成されている。これにより、本実施形態の第２のカートリッジ５は、イエロー、マゼンタ、シアンの３色のインクを収容する。
【００２７】
ここで、カートリッジ装着部７に装着されるカートリッジの数や種類は、本実施形態に限定されるものではない。例えば、４つの第１のカートリッジ４をブラック、シアン、マゼンタ、イエローの各色インクに対応して用意し、これら４つの第１のカートリッジ４をカートリッジ装着部７に装着しても良い。また、他の色（例えば、ライトアゼンタやライトシアン）のインクを収容するカートリッジをカートリッジ装着部７に装着しても良い。このように各色のインク毎に第１のカートリッジ４を装着する場合には、第２のカートリッジ５については装着を省略すればよい。
【００２８】
プリンター１０は、インクジェットプリンターである。図１に示すように、プリンター１０は、ハウジング１４と、用紙供給部カバー１６と、記録部保護カバー１８と、排出部カバー２０と、操作部２２とを備える。また、図２に示すように、プリンター１０は、装置本体１２を備える。
【００２９】
図１に示すように、ハウジング１４は、装置本体１２の周囲を覆って、プリンター１０の外観を構成している。また、プリンター１０の上面には、用紙供給部カバー１６が設けられている。用紙供給部カバー１６は、ハウジング１４の上面に回動可能に取り付けられている。用紙供給部カバー１６は、ハウジング１４に対して開いた状態（図１）と、閉じた状態（図示せず）とを取り得る。用紙供給部カバー１６はハウジング１４に対して閉じた状態にある場合、ハウジング１４の上面とともにプリンター１０の上面を構成する。
【００３０】
用紙供給部カバー１６はハウジング１４に対して開いた状態にある場合、プリンター１０の背面側（−Ｙ方向側）に傾斜した状態となる。この状態において、用紙供給部カバー１６の裏面は、用紙の載置面１６ａとして機能する。この用紙供給部カバー１６がハウジング１４に対して開いた状態にある場合、装置本体１２の後述する用紙供給部２４の用紙開口部２６は、プリンター１０の上方に対して開いた状態となる。このため、用紙供給部２４は、載置面１６ａに載置された用紙を給送経路に給送可能となる。給送経路とは、印刷を行う際の用紙の移動経路である。用紙開口部２６には、一対の用紙ガイド２８が設けられている。一対の用紙ガイド２８は、プリンター１０の幅方向（Ｘ軸方向）における間隔を調節可能に構成されている。一対の用紙ガイド２８は、用紙の幅方向における両端を拘束し、幅方向における用紙の位置を規定する。
【００３１】
また、用紙供給部カバー１６がハウジング１４に対して開いた状態にある場合、プリンター１０の上面において記録部保護カバー１８および操作部２２が露出した状態となる。記録部保護カバー１８は、ハウジング１４に対して開いた状態（図示せず）と閉じた状態（図１）とを取り得る。記録部保護カバー１８がハウジング１４に対して開いた状態にある場合、ユーザーは装置本体１２に設けられた記録部６にアクセス可能となる。
【００３２】
操作部２２は、プリンター１０を操作するための電源ボタンや印刷設定ボタン等を備えている。用紙供給部カバー１６がハウジング１４に対して開いた状態にある場合、ユーザーが操作部２２に対してアクセス可能となり、プリンター１０の操作をすることができる。
【００３３】
さらに、ハウジング１４の前面には、排出部カバー２０が設けられている。排出部カバー２０は、ハウジング１４の前面に回動可能に取り付けられている。排出部カバー２０は、ハウジング１４に対して開いた状態（図１）と、閉じた状態（図示せず）とを取り得る。排出部カバー２０がハウジング１４に対して開いた状態にある場合、排出部カバー２０は、装置本体１２の排出部９から記録が実行された用紙Ｐをプリンター１０の前方に排出する。
【００３４】
図２に示すように、装置本体１２は、用紙供給部２４と、記録部６と、排出部９と、制御部６０とを備えている。
【００３５】
制御部６０は、用紙供給部２４、記録部６および排出部９に電気的に接続され、操作部２２から入力された指示に基づいて各部の動作を制御する。また、制御部６０は、駆動モーター（図示せず）を介してキャリッジ８の移動（Ｘ軸方向移動：主走査駆動）および搬送ローラー軸５０の回転（副走査駆動）を制御している。キャリッジ８は、その底面にカートリッジ装着部７を組み込んで備える。また、制御部６０は、カートリッジ４，５が備える回路基板との間で信号のやり取りを行う。
【００３６】
装置本体１２は、キャリッジガイドレール６２と図示しないキャリッジ駆動手段とを備え、キャリッジガイドレール６２に沿ってキャリッジ８を移動可能とする。キャリッジガイドレール６２は、Ｘ軸方向すなわち装置本体の幅方向に延びて、キャリッジ８の底面側に設けられた軸受部４０９（図３参照）に組み込まれ、キャリッジ８を支持する。
【００３７】
カートリッジ装着部７を装着済みのキャリッジ８は、図示しないキャリッジ駆動手段により装置本体１２の幅方向（Ｘ軸方向、主走査方向）に往復動可能に構成されている。キャリッジ８が装置本体１２の幅方向に往復動することで、カートリッジ装着部７は装置本体１２の幅方向に往復動する。すなわち、カートリッジ４，５は、キャリッジ８によって搬送方向（Ｘ軸方向）に搬送される。本実施形態のように、キャリッジ８によって吐出ヘッド８ｓとカートリッジ４，５とが搬送されるプリンター１０のタイプは、「オンキャリッジタイプ」とも呼ばれる。なお、キャリッジ８とは異なる部位に、不動のカートリッジ装着部７を構成し、カートリッジ装着部７に装着されたカートリッジ４，５からのインクを、フレキシブルチューブを介してキャリッジ８の吐出ヘッドに供給しても良い。このようなプリンターのタイプは、「オフキャリッジタイプ」とも呼ばれる。このときのカートリッジ４，５は着脱可能なカートリッジに限られず、固定されたインクタンクであっても良い。このインクタンクには外部からインクが注入可能なインク注入口があるものであっても良い。
【００３８】
液体噴射システム１の使用状態において、キャリッジ８を往復移動させる主走査方向（左右方向）に沿った軸をＸ軸とし、用紙を搬送する副走査方向（前後方向）に沿った軸をＹ軸とし、鉛直方向（上下方向）に沿った軸をＺ軸とする。また、鉛直上方向が＋Ｚ方向であり、鉛直下方向が−Ｚ方向である。なお、液体噴射システム１の使用状態とは、水平な面に設置された液体噴射システム１の状態であり、本実施形態では、水平な面はＸ軸およびＹ軸に平行な面（ＸＹ平面）である。
【００３９】
Ａ−２．カートリッジの装着状態とキャリッジ構成：
図３はカートリッジ装着済みの状態でのキャリッジ８の外観を概略的に示す斜視図、図４はカートリッジ未装着のキャリッジ８の概略斜視図、図５はカートリッジ未装着のカートリッジ装着部７を図４と異なる方向から見て示す概略分解斜視図、図６はカートリッジ未装着のキャリッジ８の底面側からの概略斜視図、図７は図３における７−７線に沿った概略断面図である。なお、カートリッジ装着部７は、キャリッジ８の底部に装着されている都合上、図３においては図示されていない。
【００４０】
図３に示すように、カートリッジ４，５の両カートリッジは、それぞれ蓋４０１、５０１の上面に、蓋を貫通した貫通孔４０２a，４０２ｂ，４０２ｃ，５０２a，５０２ｂ，５０２ｃと、貫通孔４０２aから貫通孔４０２ｂまでの間を蛇行して延びるエアー溝４０３と、貫通孔５０２aから貫通孔５０２ｂまでの間を蛇行して延びるエアー溝５０３と、大気連通孔４３４，５３４とを備える。この場合、貫通孔４０２aは、カートリッジ４の製造工程では、カートリッジ４の内部から大気を吸引し、カートリッジ４の内部の減圧状態を維持するための減圧孔として用いられる。カートリッジ４の製造後は、エアー溝４０３、貫通孔４０２ｂ、大気連通孔４３４を介して、後述の液体保持部材４６０に大気を供給するために用いられる。また、貫通孔４０２ｃは、カートリッジ４の製造工程では、カートリッジ４の内部にインクを注入するインク注入孔として用いられる。カートリッジ４の製造後はシール部材４０４で封止され密閉される。また、カートリッジ５は、既述したようにイエロー、マゼンタ、シアンの３色のインクを収容することから、後述の各色の収容箇所に対応した貫通孔５０２a，５０２ｂ，５０２ｃとエアー溝５０３と大気連通孔５３４を備える。そして、カートリッジ４，５の両カートリッジは、シール部材４０４，５０４を、蓋４０１，５０１の上面に接合させて、上記の貫通孔およびエアー溝の開口を被覆する。
【００４１】
シール部材接合済みのカートリッジ４，５は、図４に示すようにキャリッジ８の底部に組み込まれたカートリッジ装着部７を介してキャリッジ８に装着される。なお、これ以降、カートリッジ４，５をキャリッジ８に装着するということと、カートリッジ４，５をカートリッジ装着部７に装着するということとは、同義として扱う。カートリッジ４，５は、その装着状態では、キャリッジ８の搬送方向（Ｘ軸方向）に並んで配置されている。この装着状態では、カートリッジ４が備える着脱機構部としての後述の係合部４０５が、キャリッジ８のカートリッジ係合腕８０１に係合している。ユーザーは、カートリッジ係合腕８０１に外力を加えることで、係合腕を回動変位させてキャリッジ８とカートリッジ４との係合を解除する。これにより、ユーザーはカートリッジ４をキャリッジ８から取り外すことができる。なお、カートリッジ５についてもカートリッジ４と同様の構造および同様の方法により、キャリッジ８から取り外すことができる。
【００４２】
図４に示すように、キャリッジ８は、カートリッジ装着部７を備える。このカートリッジ装着部７は、ブラックインク用の液体導入部７１０ｂと、イエローインク用の液体導入部７１０ｙと、マゼンタインク用の液体導入部７１０ｍと、シアンインク用の液体導入部７１０ｃと、円錐状のコイルバネ７２０と、図６に示す吐出ヘッド８ｓとを備える。コイルバネ７２０は、カートリッジ４，５に対応して配設され、カートリッジリッジ装着時に圧縮され、カートリッジ係合腕８０１の係合解除の際に、カートリッジを押し上げる。弾性部材７０５はエラストマーなどで構成される部材であり、環状をなし、液体導入基部７０３の外壁部に装着されている。カートリッジ装着部７はキャリッジ８にネジ止めされる。
【００４３】
上記した各インク用の液体導入部は、カートリッジ装着部７に装着されるカートリッジ４，５の液体収容部に対応して配設されており、その大きさにおいて相違するものの、同一の構成を備える。液体導入部７１０ｂを例に挙げ説明すると、この液体導入部７１０ｂは、液体導入基部７０３と、金属メッシュ７０３ｓと、弾性部材７０５とを備える。金属メッシュ７０３ｓは、ステンレス等の耐食性を備える金属から形成されたフィルターであり、液体導入基部７０３の上端に組み込まれて、カートリッジ４の後述の供給孔側液体保持部材４０６に面接触する（図７参照）。そして、供給孔側液体保持部材４０６に保持されたインクは、金属メッシュ７０３ｓを通過し、図６に示すようにカートリッジ装着部７の裏面に位置する吐出ヘッド８ｓに送り込まれる。液体導入部７１０ｂ等とカートリッジとの関係については後述する。
【００４４】
カートリッジ４は、図７に示すように、＋Ｙ方向の一端側に回路基板４１０を備える。この回路基板４１０は、第２端壁４２４に対して傾斜した基板載置部４１１に固定される。基板載置部４１１への回路基板４１０の固定の様子や配設位置等については、後述する。そして、カートリッジ４に備え付けられた回路基板４１０は、後述の端子４１２を有する。キャリッジ８へのカートリッジ４の装着状態において、端子４１２の接触部は、キャリッジ８に設けられた電極集合体８１０の電極に、電気的に接触する。また、カートリッジ４は、図におけるＹ軸方向において基板載置部４１１の端部を係合部４０５として備える。この係合部４０５は、キャリッジ８へのカートリッジ４の装着状態において、キャリッジ８におけるカートリッジ係合腕８０１に係合する。なお、キャリッジ８は電極集合体８１０を含めてキャリッジユニットと称することもできる。
【００４５】
図７は、キャリッジ８にカートリッジ４が装着された状態を示す。カートリッジ４は、液体を吸収し保持する機能を有する供給孔側液体保持部材４０６と液体保持部材４６０とを有する。供給孔側液体保持部材４０６と液体保持部材４６０は接触している。カートリッジ装着部７は、その底面に備える液体導入部７１０ｂの液体導入基部７０３の環状先端に取り付けられた金属メッシュ７０３ｓを供給孔側液体保持部材４０６に面接触させる。供給孔側液体保持部材４０６は液体導入基部７０３により＋Ｚ方向に持ち上げられ、液体保持部材４６０を押圧する。これにより、液体保持部材４６０に収容済みの液体、即ちブラックインクは、供給孔側液体保持部材４０６と、液体導入部７１０ｂにおける液体導入基部７０３の金属メッシュ７０３ｓおよび吸引孔７０４を経て、カートリッジ装着部７の吐出ヘッド８ｓに供給されることになる。つまり、カートリッジ装着部７の液体導入部７１０ｂは、カートリッジ４から液体（ブラックインク）の導入を受け、カートリッジ装着部７は、液体導入部７１０ｂに導入された液体（ブラックインク）を吐出ヘッド８ｓから噴出することになる。なお、カートリッジ５にあっても、カートリッジ４と同様に回路基板５１０等を備え、既述したようにキャリッジ８に装着される。
【００４６】
カートリッジ４は、供給孔側液体保持部材４０６に覆われる液体供給孔４０７を備える。カートリッジ装着部７は、液体導入基部７０３の基部に、液密性の弾性部材７０５を備える。この弾性部材７０５は、液体供給孔４０７の周囲の周縁陥没部４０７ｂ（図１１参照）に当接し、カートリッジ装着時において液体供給孔４０７からのインク漏れを防ぐようシールする。こうしたカートリッジ装着時において、液体供給孔４０７は、後述の液体導入部７１０ｂにブラックインクを供給するよう接続される。なお、カートリッジ４をキャリッジ８のカートリッジ装着部７へ組み付ける構造については後述する。
【００４７】
キャリッジ８の底部にカートリッジ装着部７が装着される。このカートリッジ装着部７は、図４〜図５に示すように、Ｙ軸方向に延びるカートリッジ間突出部７２１と案内突出部７２３と側壁側突出部７２４とを備える。図４では、側壁側突出部７２４は、紙面奥側のキャリッジ側壁８２の内側に示されているが、キャリッジ８は、紙面手前側のキャリッジ側壁８１の内側にも図示しない側壁側突出部７２４を備える。カートリッジ間突出部７２１と側壁側突出部７２４は、カートリッジ装着部７の端壁部７３０からカートリッジ係合腕８０１の側に向かって延び、途中、分割されている。
【００４８】
案内突出部７２３は、端壁部７３０から液体導入部７１０ｙに向けて延びて液体導入部７１０ｍと液体導入部７１０ｃとの間に延在する。つまり、この案内突出部７２３は、Ｘ軸方向で隣り合う液体導入部７１０ｍと液体導入部７１０ｃとの間に形成され、液体導入部７１０ｍと液体導入部７１０ｃとの間から液体導入部７１０ｙまでの間に位置することになる。また、この案内突出部７２３は、端壁部７３０の側の部分において、液体導入部７１０ｍと液体導入部７１０ｃとの間の部分よりも、カートリッジ装着部７の底面からの突出高が低くされている。カートリッジ４は、キャリッジ側壁８１の側の側壁側突出部７２４（図示略）とカートリッジ間突出部７２１との間の装着領域に入り込んで、キャリッジ８のカートリッジ装着部７に装着される。カートリッジ５は、カートリッジ間突出部７２１とキャリッジ側壁８２の側の側壁側突出部７２４との間の装着領域に入り込んで、キャリッジ８のカートリッジ装着部７に装着される。案内突出部７２３は、こうして装着されたカートリッジ５の後述の第１溝５８０（図２０参照）に入り込む。
【００４９】
カートリッジ装着部７は、カートリッジ第１係合突起７４１とカートリッジ第２係合突起７４２とを備える。カートリッジ第１係合突起７４１は、カートリッジ間突出部７２１と側壁側突出部７２４とからX軸に沿う方向に突出する。例えば、側壁側突出部７２４から案内突出部７２３に向かって−X方向に突出するカートリッジ第１係合突起７４１は、上記したカートリッジ４，５の装着領域において、側壁側突出部７２４のうち、電極集合体８１０より端壁部７３０の側に位置する。カートリッジ間突出部７２１から案内突出部７２３に向かって＋X方向に突出するカートリッジ第１係合突起７４１は、カートリッジ間突出部７２１のうち、電極集合体８１０より端壁部７３０の側に位置する。そしてこれらふたつのカートリッジ第１係合突起７４１は対向する。この場合、図４と図５では、その斜視方向の都合上、カートリッジ４の装着領域における側壁側突出部７２４と、カートリッジ間突出部７２１のカートリッジ第１係合突起７４１に対向するカートリッジ第１係合突起７４１とは、図示されていない。また、カートリッジ５の装着領域において、側壁側突出部７２４のカートリッジ第１係合突起７４１に対向するカートリッジ間突出部７２１のカートリッジ第１係合突起７４１は、図示されていない。
【００５０】
カートリッジ第２係合突起７４２は、カートリッジ装着部７には設けられておらず、キャリッジ８に設けられた電極集合体８１０の装着基部に設けられている。そして、このカートリッジ第２係合突起７４２は、上記したカートリッジ４，５の装着領域において、Ｘ軸に沿う方向に突出し、カートリッジ４，５に対し、＋Ｘ方向または−Ｘ方向から当接する。
【００５１】
カートリッジ第１係合突起７４１とカートリッジ第２係合突起７４２は、装着されたカートリッジのＸ軸方向の位置決め機能を果たす。カートリッジ第１係合突起７４１は、カートリッジ装着部７に設けられている。そのため、例えば、カートリッジ装着部７に設けられている液体導入部７１０ｂとカートリッジ４とのＸ軸方向における接触の精度を高めることができる。その一方で、カートリッジ第２係合突起７４２は、電極集合体８１０の装着基部に設けられている。そのため、例えば、電極集合体８１０とカートリッジ４の端子４１２とのＸ軸方向における接触の精度を高めることができる。カートリッジ装着部７はキャリッジ８にネジ止めするものであるから、カートリッジ装着部７とキャリッジ８との間には組立誤差が発生する。したがって、カートリッジ第１係合突起７４１のみでは、カートリッジ４の端子４１２と電極集合体８１０との接触の精度を高めることが困難である。そこで、カートリッジ第２係合突起７４２を用いることで、カートリッジ４のキャリッジ８への装着の精度を高めることができる。
【００５２】
この他、カートリッジ装着部７は、端壁部７３０に、係合孔７５０を備える。この係合孔７５０は、カートリッジ４とカートリッジ５ごとに二つ設けられており、カートリッジ装着に際して、後述の係合突起４２３ｔ，５２３ｔが入り込む。なお、カートリッジ装着の様子や位置決めの様子、並びに案内突出部７２３とカートリッジ５との関係については、後述する。
【００５３】
Ａ−３．カートリッジ４の構成：
図８はカートリッジ４の外観斜視図、図９はカートリッジ４のＸ方向側面図、図１０はカートリッジ４の分解斜視図、図１１はカートリッジ４を底面側から見た外観斜視図、図１２は回路基板４１０を未装着のカートリッジ４を底面側から見た外観斜視図である。図示するように、カートリッジ４は、筐体４２０と、蓋４０１と、回路基板４１０とを備える。蓋４０１は筐体４２０に固定され、筐体４２０が有する凹部４２１（図１０参照）を覆う。この他、カートリッジ４は、供給孔側液体保持部材４０６と、液体保持部材４６０と、蓋裏面シール部材４３６と、シール部材４０４とを備える。筐体４２０と蓋４０１は、ポリエチレンやポリプロピレン等の合成樹脂の成型品であり、射出成型等の適宜な成型手法にて形成される。
【００５４】
図８と図１０に示すように、筐体４２０は、底壁４２２と、第１端壁４２３と、第２端壁４２４と、第１側壁４２５と、第２側壁４２６とを有する。第１側壁４２５と第２側壁４２６とにおいて、外壁がリブ４２８にて補強されている。底壁４２２は、筐体４２０の底面をなし、その中央に液体供給孔４０７を備える。この底壁４２２は、蓋４０１（詳しくは後述の蓋部４３０）に対向する。第１端壁４２３は、底壁４２２から立ち上がり蓋４０１の蓋部４３０に接合して交差する。第２端壁４２４は、底壁４２２から立ち上がって蓋４０１の蓋部４３０に接合して交差すると共に、第１端壁４２３に対向する。第１側壁４２５は、第１端壁４２３の一方の端部（図１０における−Ｘ方向端部）と第２端壁４２４の一方の端部（図１０における−Ｘ方向端部）の間において底壁４２２から立ち上がって、蓋４０１の蓋部４３０に接合して交差する。第２側壁４２６は、第１端壁４２３の他方の端部（図１０における＋Ｘ方向端部）と第２端壁４２４の他方の端部（図１０における＋Ｘ方向端部）の間において底壁４２２から立ち上がって、蓋４０１の蓋部４３０に接合して交差すると共に第１端壁４２３と対向する。
【００５５】
こうした壁面構成は、次のように表すこともできる。筐体４２０は、キャリッジ８にカートリッジ４を装着したときに底に位置する底壁４２２と、底壁４２２に対向する蓋４０１と、底壁４２２と蓋４０１とに交差する第１側壁４２５と、底壁４２２と蓋４０１とに交差し、第１側壁４２５に対向する第２側壁４２６と、底壁４２２と蓋４０１と第１側壁４２５と第２側壁４２６とに交差する第１端壁４２３と、底壁４２２と蓋４０１と第１側壁４２５と第２側壁４２６とに交差し、第１端壁４２３に対向する第２端壁４２４とを備え、これらで囲まれた凹部４２１に液体保持部材４６０と供給孔側液体保持部材４０６とを配置して備える。
【００５６】
図１１に示すように、回路基板４１０は、基板表面に複数の端子４１２を備え、筐体４２０の第２端壁４２４に位置する。この第２端壁４２４には、図１２に示すように、基板載置部４１１が形成される。この基板載置部４１１は、第２端壁４２４に対して傾斜する。そして、回路基板４１０は、その背面を基板載置部４１１に固定され、第２端壁４２４に対して傾斜する。回路基板４１０において、端子４１２は、図１１に示すように、いわゆる千鳥状に２列に配設され、カートリッジ４がキャリッジ８に既述したように装着されると、端子４１２の接触部が、図７に示すように、キャリッジ８の側の電極集合体８１０の各電極に電気的に接続される。
【００５７】
図１２に示すように、基板載置部４１１は、第２端壁４２４の外壁面側に開口４１３を備える。この開口４１３は、第２端壁４２４の外壁面に沿って第２端壁４２４の上端側から下端側までＺ方向に延び（図１０参照）、第２端壁４２４の上下端側で開口している。その一方、蓋４０１が筐体４２０に固定されると、開口４１３は、蓋４０１が備える後述の外方延在部４３１により、図８に示すように、第２端壁４２４の上端側で閉塞される。基板載置部４１１への回路基板４１０の固定には、基板載置部４１１から突出した凸部４１４が用いられる。図１２に示すように、この凸部４１４が回路基板４１０から延びた状態において、凸部４１４が熱カシメされる。これにより、回路基板４１０は、基板載置部４１１に固定される。
【００５８】
図１０に示すように、蓋４０１は、蓋部４３０と、外方延在部４３１とを備える。蓋部４３０は、平板状とされ、筐体４２０の凹部４２１を覆う。外方延在部４３１は、端子４１２を有する回路基板４１０が位置する第２端壁４２４の側において、蓋部４３０から外方に延在した部分であり、屈曲延在部４３２と、傾斜延在部４３３とを有する。屈曲延在部４３２は、蓋４０１から筐体４２０に向かう方向（図１０における−Ｚ方向）に沿って蓋部４３０からほぼ９０度に屈曲させて突出するよう延びている。この屈曲延在部４３２に続く傾斜延在部４３３は、蓋４０１から筐体４２０に向かう方向（図１０における−Ｚ方向）からの蓋４０１の平面視において、回路基板４１０の端子４１２に重なる位置まで延びている。そして、この外方延在部４３１は、蓋４０１が筐体４２０に固定されると、図１２に示すように、開口４１３と重なって、この開口４１３を第２端壁４２４の上端側で閉塞する。また、外方延在部４３１は、蓋４０１が筐体４２０に固定されると、図８に示すように、傾斜延在部４３３を基板載置部４１１の開口４１３に係合させる。この他、外方延在部４３１は、傾斜延在部４３３を、第１端壁４２３から第２端壁４２４に向かう第１方向（図７および図１０における＋Ｙ方向）において、回路基板４１０の少なくとも下段側の端子４１２より外方に突出している。なお、傾斜延在部４３３を図示する状態からより長く延在させて、回路基板４１０の端子４１２の総てより外方に突出ようにしてもよい。
【００５９】
蓋４０１は、既述した貫通孔４０２a，４０２ｂ，４０２ｃとエアー溝４０３を備えるほか、大気連通孔４３４と、複数のシール部材受け座４３７とを備える。シール部材受け座４３７は、貫通孔４０２a，４０２ｂ，４０２ｃの周壁やエアー溝４０３の周壁と同じ高さで蓋４０１の上面から突出し、シール部材４０４の接合受け座となる。
【００６０】
大気連通孔４３４は、蓋部４３０の一部がＹ軸方向に延びた蓋部外縁に形成され、この蓋部外縁において蓋４０１を貫通する。そして、この大気連通孔４３４は、蓋４０１の裏面側において貫通孔４０２ｂと図示しないエアー溝で繋げられる。当該エアー溝と大気連通孔４３４の蓋裏面側開口および貫通孔４０２ｂの蓋裏面側開口は、蓋裏面シール部材４３６にてシールされる。これにより、蓋４０１で塞がれた筐体４２０の凹部４２１を、貫通孔４０２aとエアー溝４０３と貫通孔４０２ｂを介して、大気連通孔４３４にて大気開放することができる。この大気開放を、液体保持部材４６０と関連付けて説明する。
【００６１】
液体保持部材４６０は、筐体４２０の凹部４２１に収納される。筐体４２０の底壁４２２は、液体供給孔４０７の周囲に段差状の半円状突起４２７を備え、この半円状突起４２７の段差部に、供給孔側液体保持部材４０６が載置される（図７参照）。これにより、液体供給孔４０７は、供給孔側液体保持部材４０６にて覆われる。また、底壁４２２は、各コーナー部位の周辺に、平面視で開放弧状の弧状突起４２９を備える。液体保持部材４６０は、各コーナーの弧状突起４２９および半円状突起４２７の上面で支えられるようにして、筐体４２０に収納される。このように液体保持部材４６０が収納されると、蓋裏面シール部材４３６やシール部材４０４が接合済みの蓋４０１が筐体４２０に溶着固定され、図７や図８に示すカートリッジ４が得られる。
【００６２】
供給孔側液体保持部材４０６と液体保持部材４６０は、共に多孔質樹脂材を用いることができる。多孔質樹脂材とは、液体を保持できる機能を有すれば特に限定されるものではなく、例えばウレタンフォームのような発泡部材でもよいし、ポリプロピレンを繊維状にして束にした繊維部材であってもよい。供給孔側液体保持部材４０６と液体保持部材４６０とは、液体を保持するための特性が異なる。供給孔側液体保持部材４０６は、細孔の形成密度を示す細孔密度が液体保持部材４６０よりも大きくされている。上記の細孔密度の大小関係より、供給孔側液体保持部材４０６の毛管力は、液体保持部材４６０の毛管力よりも大きい。
【００６３】
供給孔側液体保持部材４０６と液体保持部材４６０が毛管力について上記の大小関係を有することで、液体保持部材４６０に収容済みのインクは以下に述べる順で流通する。すなわち、毛管力の小さい部材から毛管力の大きい部材へとインクが流れる。図７に示すように、供給孔側液体保持部材４０６に収容済みのインクが液体導入基部７０３を介して吸引されて消費されると、供給孔側液体保持部材４０６の上面に重なっている液体保持部材４６０に収容済みのインクが供給孔側液体保持部材４０６に移動する。こうしたインク移動の駆動力は、主に供給孔側液体保持部材４０６の毛管力である。そして、液体保持部材４６０の収納位置に対応する貫通孔４０２aとこれに繋がるエアー溝４０３および大気連通孔４３４からの大気連通により、上記したインク移動に支障は起きない。
【００６４】
上記のように、筐体４２０の凹部４２１に特性の異なる供給孔側液体保持部材４０６と液体保持部材４６０が収容されると共に、液体導入基部７０３に供給孔側液体保持部材４０６よりも大きな毛管力を有する金属メッシュ７０３ｓを用いることで、液体保持部材４６０に収容されているインクを効率良く消費できる。すなわち、液体保持部材４６０における未使用インクの残量を低減できる。
【００６５】
なお、供給孔側液体保持部材４０６と液体保持部材４６０の毛管力が、液体導入基部７０３から離れるに従って小さくなる構成であれば、上記の各液体保持部材の細孔密度の大小関係は本実施形態に限定されるものではない。例えば、供給孔側液体保持部材４０６と液体保持部材４６０の細孔密度が等しい場合でも、各液体保持部材に撥水処理や浸水処理を行うことで上記毛管力の大小関係を有するようにしてもよい。
【００６６】
また、カートリッジ４は、第１端壁４２３の外壁下端に、一対の係合突起４２３ｔを有する。この係合突起４２３ｔは、カートリッジ装着部７へのカートリッジ４の装着に際して、カートリッジ装着部７の端壁部７３０（図４参照）に入り込み、カートリッジ４の位置決めに関与する。
【００６７】
次に、キャリッジ８、詳しくはキャリッジ８に組み込み済みのカートリッジ装着部７に対する位置決めに関与する筐体構成について説明する。図８〜図１２に示すように、筐体４２０の第１側壁４２５は、第１端壁４２３から第２端壁４２４に向かう第１方向（Ｙ方向）に第１端壁４２３の側から並ぶ、第１側壁部分４２５ａと第２側壁部分４２５ｂと第３側壁部分４２５ｃとを備える。第１側壁部分４２５ａは、第１側壁４２５の第１方向の幅の約１／３を占め、第３側壁部分４２５ｃは、リブ４２８と第２端壁４２４との間を占め、残余の部位を第２側壁部分４２５ｂが占める。つまり、上記した第１方向において、第２側壁部分４２５ｂは、第１側壁部分４２５ａより幅広とされていると共に、第１側壁部分４２５ａと第３側壁部分４２５ｃとの間に位置する。図１３は図９における１３−１３線にて筐体４２０の第１側壁部分４２５ａを切断して示す概略断面を壁面角度の様子と合わせて示す説明図、図１４は図９における１４−１４線にて筐体４２０の第２側壁部分４２５ｂを切断して示す概略断面を壁面角度の様子と合わせて示す説明図、図１５は図９における１５−１５線にて筐体４２０の第３側壁部分４２５ｃを切断して示す概略断面図、図１６は蓋４０１から底壁４２２に向かう方向に筐体４２０を平面視した平面図である。
【００６８】
図８〜図１２および図１３に示すように、第１側壁部分４２５ａは、第１側壁領域４２５ａ１と、第２側壁領域４２５ａ２と、第３側壁領域４２５ａ３と、第４側壁領域４２５ａ４とを備える。第１側壁領域４２５ａ１は、底壁４２２の側に位置し、底壁４２２に対し実質的に垂直となるよう延びる。つまり、第１側壁領域４２５ａ１が占める第１側壁部分４２５ａの外面は、底壁４２２に対し実質的に垂直となる。第２側壁領域４２５ａ２は、底壁４２２に対し傾斜して延びる。第３側壁領域４２５ａ３は、第１側壁領域４２５ａ１と第２側壁領域４２５ａ２との間に位置し、第１、第２の側壁領域を繋ぐ曲面を呈する。第４側壁領域４２５ａ４は、蓋４０１の側、即ち筐体４２０の開口側に位置し、曲面を呈する。第３側壁領域４２５ａ３が曲面を呈することで、第１側壁領域４２５ａ１と第２側壁領域４２５ａ２とを段差を作らずに繋ぐことができる。これにより、カートリッジ４を装着する際、第１側壁領域４２５ａ１と第２側壁領域４２５ａ２との接続領域が側壁側突出部７２４に引っ掛かり、装着動作を阻害するという不具合を低減することができる。そして、図１３に示すように、底壁４２２に対して第１側壁領域４２５ａ１のなす角θ１（実質的に９０°）は、底壁４２２に対して第２側壁領域４２５ａ２のなす角θ２より大きくされている。また、第３側壁領域４２５ａ３は、第１側壁領域４２５ａ１の壁厚および第２側壁領域４２５ａ２の壁厚より薄い壁厚とされている。
【００６９】
図８〜図１２および図１４に示すように、第２側壁部分４２５ｂは、底壁４２２に対して傾斜して底壁４２２から延び、その傾斜範囲を第２側壁領域４２５ｂ２とする。この第２側壁領域４２５ｂ２は、その上端側で、筐体４２０の開口側の第４側壁領域４２５ｂ４に繋がる。この第４側壁領域４２５ｂ４は、第１側壁部分４２５ａの第４側壁領域４２５ａ４と同一形状で連続する。第２側壁領域４２５ｂ２は、第１側壁部分４２５ａの第１側壁領域４２５ａ１、第２側壁領域４２５ａ２および第３側壁領域４２５ａ３に隣接する。この場合、第２側壁部分４２５ｂは、図１４に示すように、第２側壁領域４２５ｂ２が底壁４２２に対してなす角θ３を、第１側壁部分４２５ａの第２側壁領域４２５ａ２が底壁４２２に対してなす角θ２より大きくしている。そして、第２側壁部分４２５ｂは第１側壁部分４２５ａよりＹ方向に幅広であることと相まって、液体供給孔４０７は、図１６に示すように、蓋４０１から底壁４２２に向かう方向に筐体４２０を平面視すると、第２側壁部分４２５ｂと第２側壁４２６との間に位置する。
【００７０】
図８〜図１２および図１５に示すように、第３側壁部分４２５ｃは、第１側壁領域４２５ｃ１と、第４側壁領域４２５ｃ４とを備える。第１側壁領域４２５ｃ１は、底壁４２２の側に位置し、底壁４２２に対し実質的に垂直となるよう延びる。第４側壁領域４２５ｃ４の筐体４２０の開口側の領域は、第１側壁部分４２５ａおよび第２側壁部分４２５ｂの第４側壁領域４２５ａ４と同一形状で連続する。第１側壁領域４２５ｃ１は、第２側壁部分４２５ｂの第２側壁領域４２５ｂ２に隣接する。
【００７１】
第２側壁４２６にあっても、第１端壁４２３から第２端壁４２４に向かう第１方向（Ｙ方向）に並ぶ、第１側壁部分４２６ａと第２側壁部分４２６ｂと第３側壁部分４２６ｃとを備える。そして、図１３〜図１５に示すように、第１側壁部分４２６ａは第１側壁４２５の第１側壁部分４２５ａに対向し、第２側壁部分４２６ｂは第１側壁４２５の第２側壁部分４２５ｂに対向し、第３側壁部分４２６ｃは第１側壁４２５の第３側壁部分４２５ｃに対向する。図１３に示すように、第１側壁部分４２６ａは、第１側壁領域４２６ａ１と、第２側壁領域４２６ａ２と、第３側壁領域４２６ａ３とを備える。第１側壁領域４２６ａ１は、底壁４２２の側に位置し、底壁４２２に対し実質的に垂直となるよう延び、底壁４２２を挟んで第１側壁４２５の第１側壁領域４２５ａ１といわゆる背中合わせの位置関係を採る。第２側壁領域４２６ａ２は、筐体５２０の開口まで、底壁４２２に対して均一の角度で傾斜して延び、第１側壁４２５の第２側壁領域４２５ａ２といわゆる背中合わせの位置関係を採る。第３側壁領域４２６ａ３は、第１側壁領域４２６ａ１から第２側壁領域４２６ａ２まで延び、第１側壁領域４２６ａ１と第２側壁領域４２６ａ２を繋ぐ曲面を呈し、第１側壁４２５の第３側壁領域４２５ａ３といわゆる背中合わせの位置関係を採る。第１側壁部分４２６ａの内周壁は平面とされている。
【００７２】
図１４に示すように、第２側壁部分４２６ｂは、底壁４２２に対して傾斜して底壁４２２から延び、第１側壁部分４２６ａと隣接する。図１５に示すように、第３側壁部分４２６ｃは、第１側壁領域４２６ｃ１と、第４側壁領域４２６ｃ４とを備える。第１側壁領域４２６ｃ１は、底壁４２２の側に位置し、底壁４２２に対し実質的に垂直となるよう延び、底壁４２２を挟んで第１側壁４２５の第１側壁領域４２５ａ１と背中合わせの位置関係を採る。第４側壁領域４２６ｃ４は、第２側壁部分４２５ｂに隣接する。
【００７３】
Ａ−４．カートリッジ５の構成：
カートリッジ５は、イエロー、マゼンタ、シアンの３色のインクを収容する点でカートリッジ４と構成が相違する。よって、カートリッジ５についての構成の説明に当たっては、カートリッジ４と共通する構成については、符号番号の最上位桁の数値を値５に置き換えて示し、その説明を簡略化する。図１７はカートリッジ５の外観斜視図、図１８はカートリッジ５のＸ方向側面図、図１９はカートリッジ５の分解斜視図、図２０はカートリッジ５を底面側から見た外観斜視図、図２１は回路基板５１０を未装着のカートリッジ５を底面側から見た外観斜視図である。
【００７４】
図示するように、カートリッジ５は、筐体５２０と、蓋５０１と、回路基板５１０とを備える。蓋５０１は筐体５２０に固定され、筐体５２０が有する三つの凹部５２１ｍ，５２１ｃ，５２１ｙ（図１９参照）を覆う。筐体５２０は、第１側壁５２５と第２側壁５２６との間に位置する仕切壁５７１と、この仕切壁５７１と第２端壁５２４との間に位置する仕切壁５７２と、仕切壁５７１と第１端壁５２３との間に位置する仕切壁５７３と、を備える。これら仕切壁で、イエロー、マゼンタ、シアンの各色に対応した凹部５２１ｍ，５２１ｃ，５２１ｙを形成する。そして、カートリッジ５は、凹部５２１ｍ，５２１ｃ，５２１ｙの底壁５２２のインク供給孔５０７ｍ，５０７ｙ，５０７ｃの周囲の半円状突起５２７で規定された領域に供給孔側液体保持部材５０６をそれぞれ載置し、液体保持部材５６０を供給孔側液体保持部材５０６に重ねて収納する。
【００７５】
上記した仕切壁と凹部５２１ｍ，５２１ｃ，５２１ｙの関係は、蓋５０１が筐体５２０に接合された状態において、次のように表すことができる。仕切壁５７１は、底壁５２２と蓋５０１と第１側壁５２５と第２側壁５２６とに交差し、第１端壁５２３と第２端壁５２４とに対向するように位置する。仕切壁５７２は、底壁５２２と蓋５０１と第２端壁５２４と仕切壁５７１に交差し、第１側壁５２５と第２側壁５２６とに対向するように位置する。そして、インク供給孔５０７ｍに連通する凹部５２１ｍは、底壁５２２と蓋５０１と第２端壁５２４と第１側壁５２５と仕切壁５７１と仕切壁５７２を用いて区画して構成される。インク供給孔５０７ｃに連通する凹部５２１ｃは、底壁５２２と蓋５０１と第２端壁５２４と第２側壁５２６と仕切壁５７１と仕切壁５７２を用いて区画して構成される。インク供給孔５０７ｙに連通する凹部５２１ｙは、底壁５２２と蓋５０１と第１端壁５２３と第２側壁５２６と仕切壁５７１と仕切壁５７３を用いて区画して構成される。なお、仕切壁５７３については、省略することが可能であるので、この場合には、凹部５２１ｙは、底壁５２２と蓋５０１と第１端壁５２３と第１側壁５２５と第２側壁５２６と仕切壁５７１を用いて区画して構成される。
【００７６】
図２０、図２１に示すように、筐体５２０が備える底壁５２２と、第１端壁５２３と、第２端壁５２４と、第１側壁５２５と、第２側壁５２６にあっても、カートリッジ４と同様の構成である。また、カートリッジ５は、回路基板５１０を、筐体５２０の第２端壁５２４の側に位置させる。この回路基板５１０は、カートリッジ４と同様に、基板載置部５１１に固定される。回路基板５１０における端子５１２の構成もほぼ同様であり、これら端子５１２の接触部は、カートリッジ５がキャリッジ８に既述したように装着されると、キャリッジ８の側の電極集合体８１０の電極に電気的に接続される。基板載置部５１１の構成もカートリッジ４と同様であり、回路基板５１０は、基板載置部５１１から突出した凸部５１４の熱カシメにより、基板載置部５１１に固定される。
【００７７】
図１７、図１９に示すように、蓋５０１は、蓋部５３０と、外方延在部５３１とを備える。蓋部５３０は、平板状とされ、筐体５２０の凹部５２１ｍ，５２１ｃ，５２１ｙを覆う。外方延在部５３１は、端子５１２を有する回路基板５１０が位置する第２端壁５２４の側において、蓋部５３０から外方に延在する屈曲延在部５３２と、傾斜延在部５３３とを有する。これら延在部の構成は、カートリッジ４と同様である。屈曲延在部５３２は、蓋５０１から筐体５２０に向かう方向（図１９における−Ｚ方向）に沿って蓋部５３０からほぼ９０度に屈曲させて突出するよう延びている。この屈曲延在部５３２に続く傾斜延在部５３３は、蓋５０１から筐体５２０に向かう方向（図１９における−Ｚ方向）からの蓋５０１の平面視において、回路基板５１０の端子５１２に重なるまで延びている。また、外方延在部５３１は、蓋５０１が筐体５２０に固定されると、図２１に示すように、基板載置部５１１の開口５１３と重なって、この開口５１３を第１端壁５２３の上端側で閉塞する。また、外方延在部５３１は、蓋５０１が筐体５２０に固定されると、図１７に示すように、係合部５０５に係合する。この他、外方延在部５３１は、第１端壁５２３から第２端壁５２４に向かう第１方向（図７および図１９における＋Ｙ方向）において、回路基板５１０の少なくとも下段側の端子５１２より外方に突出している。なお、傾斜延在部５３３を長く延在させて、回路基板５１０の端子５１２の総てより外方に突出ようにしてもよい。
【００７８】
図１９に示すように、蓋５０１は、マゼンタ、シアン、イエローの各色に対応した凹部５２１ｍ，５２１ｃ，５２１ｙごとに、貫通孔５０２a，５０２ｂ，５０２ｃと、貫通孔５０２aから貫通孔５０２ｂまでの間を延びるエアー溝５０３と、大気連通孔５３４と、各コーナーのシール部材受け座５３７とを備える。シール部材受け座５３７は、貫通孔５０２a，５０２ｂ，５０２ｃの周壁やエアー溝５０３の周壁と同じ高さで蓋５０１の上面から突出し、シール部材５０４の接合受け座となる。
【００７９】
三つの大気連通孔５３４は、蓋部５３０の外縁にＸ軸方向に並んで位置し、蓋５０１を貫通する。イエロー、マゼンタ、シアンの各色ごとの貫通孔５０２ｃは、各色ごとのエアー溝５０３の末端において蓋５０１を貫通し、Ｘ軸方向に並んだ大気連通孔５３４とＹ軸方向に重なって形成されている。そして、Ｙ軸方向で重なった大気連通孔５３４と貫通孔５０２ｂとは、蓋５０１の裏面側において図示しないエアー溝で繋げられる。当該エアー溝と貫通孔５０２ｂの蓋裏面側開口および大気連通孔５３４の蓋裏面側開口は、蓋裏面シール部材５３６にてシールされる。これにより、蓋５０１で塞がれた筐体５２０の凹部５２１ｍ，５２１ｃ，５２１ｙを、貫通孔５０２ａとエアー溝５０３と貫通孔５０２ｂおよび大気連通孔５３４を介して、それぞれ大気開放する。なお、貫通孔５０２a，５０２ｂ，５０２ｃとエアー溝５０３は、シール部材５０４により、蓋上面側でシールされる。上記した大気開放により、蓋５０１で塞がれた筐体５２０の各色ごとの凹部５２１ｍ，５２１ｃ，５２１ｙに収納された多孔質の液体保持部材５６０は、それぞれ大気通気を受けながら、収容済みインクを供給孔側液体保持部材５０６、延いてはキャリッジ８の液体導入部７１０ｍ（図４参照）、或いは液体導入部７１０ｙ或いは液体導入部７１０ｃにインク供給孔を介してインクを供給する。つまり、凹部５２１ｍ，５２１ｃ，５２１ｙにおけるインク供給孔５０７ｍ，５０７ｃ，５０７ｙにあっても、インク供給孔５０７ｍはキャリッジ８の液体導入部７１０ｍに、インク供給孔５０７ｃは液体導入部７１０ｃに、インク供給孔５０７ｙは液体導入部７１０ｙにそれぞれの色のインクを供給することになる。また、上記各供給孔の関係は、次のようになる。
【００８０】
インク供給孔５０７ｍ，５０７ｃ，５０７ｙが形成された底壁５２２から蓋５０１に向かう方向（＋Ｚ方向）に筐体５２０、延いてはカートリッジ５を平面視したとき、インク供給孔５０７ｍは、第１側壁５２５と第２側壁５２６との間に位置する。また、インク供給孔５０７ｃは、インク供給孔５０７ｍと第２側壁５２６との間に位置する。
【００８１】
この他、図２０〜図２１に示すように、カートリッジ５は、インク供給孔５０７ｍ，５０７ｃ，５０７ｙが形成された底壁５２２の底面（−Ｚ方向側の外壁面）に、第１溝５８０と第２溝５８１とを有する。第１溝５８０は、マゼンタの液体導入部７１０ｍ（図４参照）に対応するインク供給孔５０７ｍとシアンの液体導入部７１０ｃに対応するインク供給孔５０７ｃとの間に形成され、インク供給孔５０７ｍとインク供給孔５０７ｃとの間からインク供給孔５０７ｙへ向けて延在する。また、この第１溝５８０は、カートリッジ５がカートリッジ装着部７に装着される状態においてカートリッジ装着部７の案内突出部７２３（図４参照）が挿入可能な深さで、仕切壁５７２に凹状に形成されており（図２２〜図２３参照）、仕切壁５７２の延在範囲、即ち第２端壁５２４と仕切壁５７１との間に亘って延びる。
【００８２】
キャリッジ８に組み込み済みのカートリッジ装着部７に対する位置決めに関与するカートリッジ５の筐体構成は、既述したカートリッジ４とほぼ同様である。よって、以下、簡単に説明する。図１７〜図２１に示すように、筐体５２０の第１側壁５２５は、第１端壁５２３から第２端壁５２４に向かう第１方向（Ｙ方向）に並ぶ、第１側壁部分５２５ａと第２側壁部分５２５ｂと第３側壁部分５２５ｃとを備える。これら側壁部分の第１方向の幅については、カートリッジ４と同じである。図２２は図１８における２２−２２線にて筐体５２０の第１側壁部分５２５ａを切断して示す概略断面図、図２３は図１８における２３−２３線にて筐体５２０の第２側壁部分５２５ｂを切断して示す概略断面図、図２４は図１８における２４−２４線にて筐体５２０の第３側壁部分５２５ｃを切断して示す概略断面図である。
【００８３】
図１７〜図２１および図２２に示すように、第１側壁部分５２５ａは、第１側壁領域５２５ａ１と、第２側壁領域５２５ａ２と、第３側壁領域５２５ａ３と、第４側壁領域５２５ａ４とを備える。第１側壁領域５２５ａ１は、底壁５２２の側に位置し、底壁５２２に対し実質的に垂直となるよう延びる。第２側壁領域５２５ａ２は、底壁４２２に対し傾斜して、第３側壁領域５２５ａ３から第４側壁領域５２５ａ４まで延びる。第３側壁領域５２５ａ３は、第１側壁領域５２５ａ１から第２側壁領域５２５ａ２まで延び、第１側壁領域５２５ａ１と第２側壁領域５２５ａ２とを繋ぐ曲面を呈する。第４側壁領域５２５ａ４は、第２側壁領域５２５ａ２から筐体５２０の開口側まで延び、第２側壁領域５２５ａ２と筐体５２０の開口側とを繋ぐ曲面を呈する。なお、第２側壁領域５２５ａ２と第３側壁領域５２５ａ３と第４側壁領域５２５ａ４とを同じ傾斜としてもよい。
【００８４】
図１７〜図２１および図２３に示すように、第２側壁部分５２５ｂは、底壁５２２に対して傾斜して底壁５２２から延び、筐体５２０の開口側の第４側壁領域５２５ａ４に繋がる。この第２側壁領域５２５ｂ２は、第１側壁部分５２５ａの第１側壁領域５２５ａ１、第２側壁領域５２５ａ２および第３側壁領域５２５ａ３に隣接する。なお、第２側壁領域５２５ｂ２と第４側壁領域５２５ａ４とを同じ傾斜としてもよい。
【００８５】
図１７〜図２１および図２４に示すように、第３側壁部分５２５ｃは、第１側壁領域５２５ｃ１と、第４側壁領域５２５ｃ４とを備える。第１側壁領域５２５ｃ１は、底壁５２２の側に位置し、底壁５２２に対し実質的に垂直となるよう延びる。第４側壁領域５２５ｃ４は、第１側壁領域５２５ｃ１から筐体５２０の開口側まで延び、この開口側で湾曲する。この第４側壁領域５２５ｃ４は、第２側壁部分５２５ｂの第４側壁領域５２５ｂ４に隣接し、筐体開口側の上端において蓋５０１の支えとして厚肉とされている。
【００８６】
第２側壁５２６にあっても、第１端壁５２３から第２端壁５２４に向かう第１方向（Ｙ方向）に並ぶ、第１側壁部分５２６ａと第２側壁部分５２６ｂと第３側壁部分５２６ｃとを備える。そして、図２２〜図２３に示すように、第１側壁部分５２６ａは第１側壁５２５の第１側壁部分５２５ａに対向し、第２側壁部分５２６ｂは第１側壁５２５の第２側壁部分５２５ｂに対向し、第３側壁部分５２６ｃは第１側壁５２５の第３側壁部分５２５ｃに対向する。図２２に示すように、第１側壁部分５２６ａは、第１側壁領域５２６ａ１と、第２側壁領域５２６ａ２と、第３側壁領域５２６ａ３と、第４側壁領域５２６ａ４とを備える。第１側壁領域５２６ａ１は、底壁５２２の側に位置し、底壁５２２に対し実質的に垂直となるよう延び、底壁５２２を挟んで第１側壁５２５の第１側壁領域５２５ａ１と背中合わせの位置関係を採る。第４側壁領域５２６ａ４は、筐体開口側の上端において蓋５０１の支えとして厚肉とされている。
【００８７】
図２３に示すように、第２側壁部分５２６ｂは、底壁５２２に対して傾斜して底壁５２２から延びる第２側壁領域５２６ｂ２と、当該領域に繋がる第４側壁領域５２６ａ４とを備える。図２４に示すように、第３側壁部分５２６ｃは、第１側壁領域５２６ｃ１と、第４側壁領域５２６ｃ４とを備える。第１側壁領域５２６ｃ１は、底壁５２２の側に位置し、底壁５２２に対し実質的に垂直となるよう延び、底壁５２２を挟んで第１側壁５２５の第１側壁領域５２５ａ１と背中合わせの位置関係を採る。第４側壁領域５２６ｃ４は、筐体開口側の上端において湾曲し、蓋５０１の支えとして厚肉とされている。
【００８８】
Ａ−５．カートリッジの装着姿勢：
図２５はキャリッジ８へのカートリッジ４とカートリッジ５の装着の様子を概略的に示す説明図である。図示するように、カートリッジ装着の際、カートリッジ４とカートリッジ５はいずれも、第１端壁４２３，５２３の外側壁が−Ｚ方向に面するような傾斜姿勢で、キャリッジ８のカートリッジ装着部７に挿入される。次いで、カートリッジ４，５は、この傾斜姿勢のまま、図中に符号Ａで示すように、両カートリッジの係合突起４２３ｔ，５２３ｔがキャリッジ８のカートリッジ装着部７における係合孔７５０（図４,図５参照）に入り込むよう押し付けられる。
【００８９】
係合孔７５０への係合突起４２３ｔ，５２３ｔの入り込みと同時に、カートリッジ４，５における第１側壁部分４２５ａ，５２５ａの第１側壁領域４２５ａ１，５２５ａ１および第１側壁部分４２６ａ，５２６ａの第１側壁領域４２６ａ１，５２６ａ１は、液体導入部７１０ｂ等を有するカートリッジ装着部７において係合孔７５０の側で向かい合うカートリッジ第１係合突起７４１（図４,図５参照）に係合する。その後、係合突起４２３ｔ，５２３ｔが係合孔７５０に入り込んだまま、カートリッジ４，５は、上記の傾斜姿勢から、図２５中に符号Ｂで示すように揺動される。この揺動の過程で、カートリッジ４，５における第３側壁部分４２５ｃ，５２５ｃの第１側壁領域４２５ｃ１，５２５ｃ１および第３側壁部分４２６ｃ，５２６ｃの第１側壁領域４２６ｃ１，５２６ｃ１は、キャリッジ８のカートリッジ係合腕８０１の側で向かい合うカートリッジ第２係合突起７４２（図４,図５参照）に係合する。最後に、図７に示すように、係合部４０５，５０５がカートリッジ係合腕８０１に係合する状態になるまで、カートリッジ４，５はカートリッジ装着部７に向けて−Ｚ方向に押さえ付けられる。
【００９０】
以上説明した構成を備える本実施形態のカートリッジ４は、プリンター１０のキャリッジ８に装着されたときに底に位置する底壁４２２と底壁４２２に対向する蓋４０１とを備え、底壁４２２と既述した第１端壁４２３等で筐体４２０を構成し（図１０参照）、その凹部４２１に供給孔側液体保持部材４０６と液体保持部材４６０を重ねて収納して備える。その上で、本実施形態のカートリッジ４は、図１０〜図１２に示すように、第１側壁４２５に、第１端壁４２３から第２端壁４２４に向かう第１方向に第１側壁部分４２５ａと第２側壁部分４２５ｂとを並べて備える。そして、本実施形態のカートリッジ４は、図１３〜図１４に示すように、第１側壁部分４２５ａを、底壁４２２の側で、この底壁４２２に対し実質的に垂直となる第１側壁領域４２５ａ１と、蓋４０１の側で、底壁４２２に対し傾斜する第２側壁領域４２５ａ２とを有するものとし、第２側壁部分４２５ｂを、底壁４２２に対して傾斜させる。
【００９１】
本実施形態のカートリッジ４は、図２５に示すように、プリンター１０のキャリッジ８へのカートリッジ４の装着に当たり、カートリッジ装着部７のカートリッジ第１係合突起７４１には、底壁４２２に対し実質的に垂直な第１側壁領域４２５ａ１を当接させればよく、第１端壁４２３から第２端壁４２４に向かう第１方向に第１側壁部分４２５ａと並ぶ第２側壁部分４２５ｂについては、当接を要しない。よって、プリンター１０におけるキャリッジ８のカートリッジ装着部７に、第１側壁４２５の全域を当接させる必要がない。この結果、本実施形態のカートリッジ４によれば、プリンター１０への装着に際してのカートリッジの姿勢の自由度が高まり、装着性が向上する。また、プリンター１０には、底壁４２２に対し実質的に垂直な第１側壁領域４２５ａ１を当接できるので、本実施形態のカートリッジ４によれば、カートリッジを確実に位置決めできる。これに加え、プリンター１０、詳しくはそのカートリッジ装着部７におけるカートリッジ第１係合突起７４１に当接する第１側壁領域４２５ａ１より蓋４０１の側の第２側壁領域４２５ａ２と、上記の第１方向に第１側壁部分４２５ａと並ぶ第２側壁部分４２５ｂについては、共に底壁４２２に対して傾斜させている。よって、本実施形態のカートリッジ４によれば、液体保持部材４６０を底壁４２２の側ほど圧縮して保持できる。本実施形態のカートリッジ５にあっても同様である。
【００９２】
上記したように、第１側壁４２５の第１側壁部分４２５ａにおける第１側壁領域４２５ａ１は、カートリッジ装着部７の側壁側突出部７２４から突出したカートリッジ第１係合突起７４１に当接する。これにより、図３に示す装着状態のカートリッジ４に対し、−Ｘ方向に力が加わっても、カートリッジ４の−Ｘ方向への位置ずれを抑制ができる。ここで、第１側壁部分４２５ａと、カートリッジ第１係合突起７４１の頂上面は、いずれもカートリッジ装着部７の底壁、あるいはカートリッジ４の底壁４２２に対し、実質的に垂直となるように形成されている。言い換えれば、第１側壁部分４２５ａの底壁４２２に対してなす角は実質的に垂直であることになる。これにより、カートリッジ４に対し−Ｘ方向に外力が加わった場合、カートリッジ４の第１側壁部分４２５ａは、カートリッジ第１係合突起７４１に外力を−Ｘ方向に及ぼすが、カートリッジ第１係合突起７４１にてこの外力を抗する力が発生することから、カートリッジ４に対しては、−Ｘ方向に付勢するベクトルは発生しない。このため、カートリッジ４がカートリッジ装着部７の底壁から上方に浮き上がる不具合を抑制できる。なお、カートリッジ４に対し−Ｘ方向に外力が加わった場合、第１側壁部分４２５ａはカートリッジ第１係合突起７４１に対し、カートリッジ４がカートリッジ装着部７の底壁から上方に浮き上がらないような姿勢で当接できればよい。第１側壁部分４２５ａとカートリッジ第１係合突起７４１の形成に当たり、その面形成の状況は、厳密には成形上のバラツキがある。よって、第１側壁部分４２５ａが底壁４２２に対してなす角度が９０度に限定されるわけではなく、既述したように、カートリッジ４がカートリッジ装着部７の底壁から上方に浮き上がらないような機能を発揮できる範囲の角度であればよい。本実施形態では、このような範囲の角度を実質的に垂直と称した。
【００９３】
本実施形態のカートリッジ４は、第１側壁部分４２５ａを、第１側壁領域４２５ａ１と第２側壁領域４２５ａ２との間に第３側壁領域４２５ａ３が位置するものとし、第３側壁領域４２５ａ３における壁の厚みを、第１側壁領域４２５ａ１および第２側壁領域４２５ａ２の壁の厚みより薄くした。よって、本実施形態のカートリッジ４によれば、液体保持部材４６０を囲む第１側壁４２５を、底壁４２２の側から第１側壁領域４２５ａ１、第３側壁領域４２５ａ３、第２側壁領域４２５ａ２と繋げ、第３側壁領域４２５ａ３において壁厚を薄くするので、液体保持部材４６０が収納される凹部４２１の容積を増やすことができる。また、第１側壁部分４２５ａの外壁側の形状が第１側壁領域４２５ａ１、第３側壁領域４２５ａ３、第２側壁領域４２５ａ２の繋がりにより不均一となっても、第１側壁４２５の内壁側の形状を均一、または均一に近い形状に仕上げることができる。本実施形態のカートリッジ５にあっても同様である。
【００９４】
本実施形態のカートリッジ４は、第１側壁４２５に対向する第２側壁４２６（図１０参照）の内壁面を、図１３〜図１５に示すように、凹部４２１の開口側が広くなるよう均一の角度で傾斜させる。よって、本実施形態のカートリッジ４によれば、第２側壁４２６の外壁側の形状に拘わらず、液体保持部材４６０を底壁４２２の側ほど圧縮が進むようにして保持できる。また、第２側壁４２６の外壁側の形状に拘わらず第２側壁４２６の内壁側の形状が均一なため、成形金型形状を簡便とできる。本実施形態のカートリッジ５にあっても同様である。
【００９５】
本実施形態のカートリッジ４は、第１側壁４２５に対向する第２側壁４２６（図１０参照）の内壁面を、図１３〜図１５に示すように、傾斜させた上で平面とした。よって、この点からも、成形金型形状を簡便とできる。
【００９６】
本実施形態のカートリッジ４は、図１６に示すように、蓋４０１から底壁４２２に向かう方向に平面視したとき、供給孔側液体保持部材４０６を第２側壁部分４２５ｂと第２側壁４２６との間に位置させる。よって、本実施形態のカートリッジ４は、供給孔側液体保持部材４０６を、第１側壁４２５の第１側壁部分４２５ａから離して、液体保持部材４６０の中央或いは中央近傍に位置させる。この結果、本実施形態のカートリッジ４によれば、液体保持部材４６０のほぼ全域からブラックインクを供給孔側液体保持部材４０６に到達するようにできる。
【００９７】
本実施形態のカートリッジ４は、第１端壁４２３から第２端壁４２４に向かう第１方向において、第１側壁部分４２５ａの幅より第２側壁部分４２５ｂの幅を広くした。よって、次の利点がある。第１側壁部分４２５ａは、第１側壁領域４２５ａ１と第２側壁領域４２５ａ２とを有することから形状が複雑となり、カートリッジ４としての強度確保に対しての対処を施す余地が少ない。これに対し、第２側壁部分４２５ｂは、第１側壁部分４２５ａのように第１側壁領域４２５ａ１と第２側壁領域４２５ａ２とを有する必要はなく、底壁４２２に対して傾斜すればよいので、その形状が単純であることから、強度確保に対しての対処を施す余地が残されている。よって、本実施形態のカートリッジ４によれば、単純な形状の第２側壁部分４２５ｂの幅が広い分だけ、強度確保の上から有益である。具体的には、本実施形態のカートリッジ４は、第２側壁部分４２５ｂにリブ４２８を設けることで強度確保を図っている。本実施形態のカートリッジ５にあっても同様である。
【００９８】
本実施形態のカートリッジ４は、図１３〜図１４に示すように、第２側壁部分４２５ｂの第２側壁領域４２５ｂ２が底壁４２２に対してなす角θ３を、第１側壁部分４２５ａの第２側壁領域４２５ａ２が底壁４２２に対してなす角θ２より大きくした。よって、次の利点がある。第２側壁領域４２５ａ２は、第１側壁部分４２５ａにおいて、底壁４２２から延びる第１側壁領域４２５ａ１に?がって底壁４２２に対して傾斜し、第２側壁部分４２５ｂの第２側壁領域４２５ｂ２は、第１側壁部分４２５ａと上記の第１方向に並んで位置して底壁４２２からこの底壁４２２に対して傾斜する。そうすると、底壁４２２に対して第２側壁部分４２５ｂの第２側壁領域４２５ｂ２がなす角θ３（図１４参照）と、第１側壁部分４２５ａの第２側壁領域４２５ａ２がなす角θ２（図１３参照）とが同じであれば、蓋４０１における第１側壁部分４２５ａの周縁部と第２側壁部分４２５ｂの周縁部はずれてしまうことになる。これに対し、本実施形態のカートリッジ４では、底壁４２２に対して第２側壁領域４２５ｂ２のなす角θ３を第２側壁領域４２５ａ２のなす角θ２より大きくしたので、蓋４０１における第１側壁部分４２５ａの周縁部と第２側壁部分４２５ｂの周縁部とのズレを小さくできる。この結果、本実施形態のカートリッジ４によれば、蓋４０１における第２側壁部分４２５ｂの形状の単調化と、蓋４０１についてもその形状の単調化とを図ることができる。
【００９９】
本実施形態のカートリッジ４は、第２側壁部分４２５ｂが蓋４０１の側で底壁４２２に対してなす角θ１を、第２側壁領域４２５ａ２が底壁４２２に対してなす角θ１と等しくし、第２側壁領域４２５ａ２と上記の第１方向に連続して形成した。よって、本実施形態のカートリッジ４によれば、蓋４０１の側での第１側壁４２５の第２側壁部分４２５ｂの周縁部と第１側壁部分４２５ａの第２側壁領域４２５ａ２の周縁部とのズレを起こさないので、蓋４０１の側での第１側壁４２５の形状の単調化と、蓋４０１についてもその形状の単調化とを図ることができる。
【０１００】
本実施形態のカートリッジ４は、第１側壁４２５を、第１端壁４２３から第２端壁４２４に向かう第１方向に並ぶ、第１側壁部分４２５ａと第２側壁部分４２５ｂと第３側壁部分４２５ｃとを有するものとした。その上で、本実施形態のカートリッジ４は、上記の第１方向において第２側壁部分４２５ｂを第１側壁部分４２５ａと第３側壁部分４２５ｃとの間に位置させ、第３側壁部分４２５ｃを、図１５に示すように、底壁４２２の側で、この底壁４２２に対し実質的に垂直となる第１側壁領域４２５ｃ１を有するものとした。そして、本実施形態のカートリッジ４は、図２５に示すように、キャリッジ８へのカートリッジ４の装着の終盤において、電極集合体８１０の装着基部のカートリッジ第２係合突起７４２に対し、底壁４２２に対し実質的に垂直な第１側壁領域４２５ｃ１を当接させる。よって、本実施形態のカートリッジ４によれば、カートリッジ装着部７に対し、第１側壁領域４２５ａ１を当接させることができるほか、さらに電極集合体８１０の装着基部に対し、第１側壁領域４２５ｃ１を当接させることもできるので、プリンター１０に対してカートリッジ４をより確実に位置決めできると共に、装着後のカートリッジ４の装着姿勢をより安定化できる。本実施形態のカートリッジ５にあっても同様である。
【０１０１】
本実施形態のカートリッジ４は、第１側壁４２５と対向する第２側壁４２６についても、これを、第１側壁部分４２６ａ、第２側壁部分４２６ｂおよび第３側壁部分４２６ｃを有するものとし、第１側壁部分４２６ａと第３側壁部分４２６ｃとについては、底壁４２２の側にこの底壁４２２に対し実質的に垂直な第１側壁領域４２６ａ１，４２６ｃ１を有するものとした。その上で、第２側壁４２６の第１側壁領域４２６ａ１，４２６ｃ１を、底壁４２２を挟んで第１側壁４２５の第１側壁領域４２５ａ１，４２５ｃ１と背中合わせの位置関係とすると共に、キャリッジ８におけるカートリッジ第１係合突起７４１とカートリッジ第２係合突起７４２に当接させる。よって、本実施形態のカートリッジ４によれば、プリンター１０に対してカートリッジ４をより確実に位置決めできると共に、装着後のカートリッジ４の装着姿勢をより一層安定化できる。本実施形態のカートリッジ５にあっても同様である。
【０１０２】
Ｂ．他の実施形態；カートリッジ６００の構成：
カートリッジ６００は、ブラック、イエロー、マゼンタ、シアンの４色のインクを収容する点でカートリッジ４，５と構成が相違する。よって、カートリッジ６００についての構成の説明に当たっては、カートリッジ４，５と共通する構成については、符号番号の最上位桁の数値を値６に置き換えて示し、主要なカートリッジ構成部材について説明する。図２６はカートリッジ６００の分解斜視図である。なお、カートリッジ６００が４色のインクを収容する都合上、その搭載キャリッジにあっては各色ごとの液体導入部７１０ｂ，７１０ｍ，７１０ｃ，７１０ｙを有するが、こうしたキャリッジ構成については、その説明を省略する。
【０１０３】
図２６に示すように、カートリッジ６００は、既述したカートリッジ４，５と同様、筐体６２０と、蓋６０１と、回路基板６１０とを備える。筐体６２０は、第１側壁６２５から第２側壁６２６まで延びる仕切壁６７１と、第１端壁４２３から第２端壁４２４まで延びる仕切壁５７２とを交差させて、ブラック、イエロー、マゼンタ、シアンの各色に対応した凹部６２１ｂ，６２１ｍ，６２１ｃ，６２１ｙを形成する。これら凹所には、供給孔側液体保持部材６０６と供給孔側液体保持部材６６０とが互いに重なる状態で収納される。筐体６２０が備える底壁６２２と、第１端壁６２３と、第２端壁６２４と、第１側壁６２５と、第２側壁６２６は、その機能において、カートリッジ５と同様である。また、回路基板６１０は、筐体６２０の第２端壁６２４の側に位置する構成、回路基板６１０における端子構成、蓋６０１が平板状とされて筐体６２０の上記各凹部を覆う構成等についても同様である。
【０１０４】
カートリッジの位置決めに関与するカートリッジ６００の筐体構成は、既述したカートリッジ５とほぼ同様である。図２６に示すように、筐体６２０の第１側壁６２５は、第１端壁６２３から第２端壁６２４に向かう第１方向（Ｙ方向）に並ぶ、第１側壁部分６２５ａと第２側壁部分６２５ｂと第３側壁部分６２５ｃとを備える。これら側壁部分の第１方向の幅については、カートリッジ４，５と同じである。図２７は図２６における２７−２７線にて筐体６２０の第１側壁部分６２５ａを切断して示す概略断面図、図２８は図２６における２８−２８線にて筐体６２０の第２側壁部分６２５ｂを切断して示す概略断面図、図２９は図２６における２９−２９線にて筐体６２０の第３側壁部分６２５ｃを切断して示す概略断面図である。
【０１０５】
図２７に示すように、第１側壁部分６２５ａは、第１側壁領域６２５ａ１と、第２側壁領域６２５ａ２とを備える。第１側壁領域６２５ａ１は、底壁６２２の側に位置し、底壁６２２に対し実質的に垂直となるよう延びる。第２側壁領域６２５ａ２は、第１側壁領域６２５ａ１から蓋６０１の側、即ち筐体６２０の開口まで、底壁６２２に対し傾斜して延びる。
【０１０６】
図２８に示すように、第２側壁部分６２５ｂは、筐体６２０の開口まで、底壁６２２に対して均一の角度で傾斜して延びる。この第２側壁部分６２５ｂは、第１側壁部分６２５ａの第２側壁領域６２５ａ２と連続する。
【０１０７】
図２９に示すように、第３側壁部分６２５ｃは、第１側壁領域６２５ｃ１と、第２側壁領域６２５ｃ２とを備える。第１側壁領域６２５ｃ１は、底壁６２２の側に位置し、底壁６２２に対し実質的に垂直となるよう延びる。第２側壁領域６２５ｃ２は、第１側壁領域６２５ｃ１から筐体６２０の開口まで、底壁６２２に対し傾斜して延びる。この第２側壁領域６２５ｃ２は、第１側壁部分６２５ａの第２側壁領域６２５ａ２および第２側壁部分６２５ｂに連続する。
【０１０８】
第２側壁６２６にあっても、第１端壁６２３から第２端壁６２４に向かう第１方向（Ｙ方向）に並ぶ、第１側壁部分６２６ａと第２側壁部分６２６ｂと第３側壁部分６２６ｃとを備える。そして、図２７〜図２９に示すように、第１側壁部分６２６ａは第１側壁６２５の第１側壁部分６２５ａに対向し、第２側壁部分６２６ｂは第１側壁６２５の第２側壁部分６２５ｂに対向し、第３側壁部分６２６ｃは第１側壁６２５の第３側壁部分５２５ｃに対向する。図２７に示すように、第１側壁部分６２６ａは、第１側壁領域６２６ａ１と、第２側壁領域６２６ａ２とを備える。第１側壁領域６２６ａ１は、底壁６２２の側に位置し、底壁６２２に対し実質的に垂直となるよう延び、底壁６２２を挟んで第１側壁６２５の第１側壁領域６２５ａ１と背中合わせの位置関係をとる。第２側壁領域６２６ａ２は、筐体６２０の開口まで、第１側壁領域６２６ａ１から底壁６２２に対して均一の角度で傾斜して延びる。
【０１０９】
図２８に示すように、第２側壁部分６２６ｂは、底壁６２２に対して傾斜して底壁６２２から延び、第１側壁部分６２６ａの第２側壁領域６２６ａ２と連続する。図２９に示すように、第３側壁部分６２６ｃは、第１側壁領域６２６ｃ１と、第２側壁領域６２６ｃ２とを備える。第１側壁領域６２６ｃ１は、底壁６２２の側に位置し、底壁６２２に対し実質的に垂直となるよう延び、底壁６２２を挟んで第１側壁６２５の第１側壁領域６２５ａ１と背中合わせの位置関係をとる。第２側壁領域６２６ｃ２は、第１側壁部分６２６ａの第２側壁領域６２６ａ２および第２側壁部分６２６ｂに連続する。
【０１１０】
上記した本実施形態のカートリッジ６００にあっても、既述したカートリッジ４，５と同様の効果を奏することができる。
【０１１１】
Ｃ．変形例
本発明は、以下のような種々の形態で実施し得る。
【０１１２】
Ｃ−１．カートリッジの外観の第１変形例：
第１変形例は、図２６から図２９に示したカートリッジ６００の変形例であり、カートリッジ６００とは第１側壁領域６２５ａ１，６２５ｃ１の形成の様子が相違する。図３０は図２７に相当する概略断面図であり、筐体６２０Ａの第１側壁部分６２５ａを切断して示すものである。図３１は図２８に相当する概略断面図であり、筐体６２０Ａの第２側壁部分６２５ｂを切断して示すものである。図３２は図２９に相当する概略断面図であり、筐体６２０Ａの第３側壁部分６２５ｃを切断して示すものである。第１変形例の筐体６２０Ａは、筐体６２０と同様に、第１側壁部分６２５ａと第２側壁部分６２５ｂと第３側壁部分６２５ｃとを備える。第１側壁部分６２５ａと第２側壁部分６２５ｂと第３側壁部分６２５ｃは第１端壁６２３の側から第２端壁６２４の側に向かう方向に順に並ぶ。そして、図３０に示すように、第１側壁部分６２５ａの第１側壁領域６２５ａ１は、第２側壁領域６２５ａ２から突出した上で、底壁６２２に対し実質的に垂直となるよう延びる。図３１に示すように、第１側壁領域６２５ｃ１についても同様である。そして、この変形例の筐体６２０Ａを備えたカートリッジ６００にあっても、既述したカートリッジ４，５と同様の効果を奏することができる。
【０１１３】
Ｃ−２．カートリッジの外観の第２変形例：
第２変形例は、図８から図１６に示したカートリッジ４の変形例であり、カートリッジ４とは筐体４２０Ａを構成する第２側壁４２６Ａの形成の様子が相違する。図３３は第２変形例の筐体４２０Ａの要部を示す外観斜視図である。図３４は図１３に相当する概略断面図であり、筐体４２０Ａの第１側壁部分４２５ａを切断して示すものである。図３５は図１４に相当する概略断面図であり、筐体４２０Ａの第２側壁部分４２５ｂを切断して示すものである。図３６は図１５に相当する概略断面図であり、筐体４２０Ａの第３側壁部分４２５ｃを切断して示すものである。第２変形例の筐体４２０Ａは、筐体４２０と同様に、第１側壁部分４２５ａと第２側壁部分４２５ｂと第３側壁部分４２５ｃとを備える。第１側壁部分４２５ａと第２側壁部分４２５ｂと第３側壁部分４２５ｃとは、第１端壁４２３の側から第２端壁４２４の側に向かう方向に順に並ぶ。これら第１〜第３の側壁部分は、既述したカートリッジ４の筐体４２０と同様である。そして、図３４〜図３６に示すように、第１側壁４２５に対向する第２側壁４２６Ａは、底壁４２２から筐体４２０Ａの開口に到るまで、底壁４２２に対し実質的に垂直となるよう延びる。この変形例の筐体４２０Ａを備えたカートリッジ４にあっても、既述したカートリッジ４，５と同様の効果を奏することができる。
【０１１４】
Ｃ−３．カートリッジの外観の第３変形例：
第３変形例は、図８から図１６に示したカートリッジ４の変形例であり、筐体４２０Ｂを構成する第１側壁４２５Ａの形成の様子が上記の第２変形例と相違する。図３７は第３変形例の筐体４２０Ｂの要部を示す外観斜視図、図３８は図１３に相当する概略断面図であり、筐体４２０Ｂの第１側壁部分４２５ａを切断して示すものである。図３９は図１４に相当する概略断面図であり、筐体４２０Ｂの第２側壁部分４２５ｂを切断して示すものである。図４０は図１５に相当する概略断面図であり、筐体４２０Ｂの第３側壁部分４２５ｃを切断して示すものである。第３変形例の筐体４２０Ｂは、筐体４２０Ａと同様に、第１端壁４２３の側から第２端壁４２４の側に向かう方向に順に並ぶ、第１側壁部分４２５ａと第２側壁部分４２５ｂと第３側壁部分４２５ｃとを備える。また、第１側壁４２５に対向する第２側壁４２６Ａについても、底壁４２２から筐体４２０Ａの開口に到るまで、底壁４２２に対し実質的に垂直となるよう延びる。そして、図３８〜図４０に示すように、第１側壁４２５Ａの第２側壁部分４２５ｂは、底壁４２２から筐体４２０Ｂの開口に到るまで、底壁４２２に対し傾斜して延びる。また、第２側壁部分４２５ｂの底壁４２２に対する角度は、第２側壁領域４２５ａ２，４２５ｃ２の底壁４２２に対する角度より大きく、第２側壁領域４２５ａ２，４２５ｃ２の底壁４２２に対する角度より小さい。この変形例の筐体４２０Ｂを備えたカートリッジ４にあっても、既述したカートリッジ４，５と同様の効果を奏することができる。
【０１１５】
Ｃ−４．カートリッジの外観の第４変形例：
第４変形例は、筐体４２０Ｃを構成する第１側壁４２５Ｂの形成の様子が上記の第３変形例と相違する。図４１は第４変形例の筐体４２０Ｃの要部を示す外観斜視図、図４２は図１３に相当する概略断面図であり、変形例の筐体４２０Ｃの第１側壁部分４２５ａを切断して示すものである。図４３は図１４に相当する概略断面図であり、筐体４２０Ｃの第２側壁部分４２５ｂを切断して示すものである。図４４は図１５に相当する概略断面図であり、筐体４２０Ｃの第３側壁部分４２５ｃを切断して示すものである。この第４変形例の筐体４２０Ｃは、筐体４２０Ａ，４２０Ｂと同様に、第１端壁４２３の側から第１側壁部分４２５ａと第２側壁部分４２５ｂと第３側壁部分４２５ｃとを並んで備え、第１側壁４２５に対向する第２側壁４２６Ａについても、底壁４２２から筐体４２０Ａの開口に到るまで、底壁４２２に対し実質的に垂直となるよう延ばしている。そして、図４２〜図４４に示すように、第１側壁４２５Ｂの第１側壁部分４２５ａと第３側壁部分４２５ｃは、先の実施形態や変形例と異なり、底壁４２２から筐体４２０Ｃの開口の近傍まで、底壁４２２に対し実質的に垂直となるよう延ばしている。つまり、この筐体４２０Ｃを備えたカートリッジ４は、第１側壁４２５Ｂを、第１端壁４２３から第２端壁４２４に向かう第１方向（Ｙ方向）に並ぶ第１側壁部分４２５ａと第２側壁部分４２５ｂとを有するものとした上で、第１側壁部分４２５ａを＋Ｚ方向に底壁４２２からほぼ全域に亘って底壁４２２に対して実質的に垂直に延ばしている。加えて、この筐体４２０Ｃを備えたカートリッジ４は、第１側壁４２５Ｂを上記の第１方向に第１側壁部分４２５ａと第２側壁部分４２５ｂと並ぶ第３側壁部分４２５ｃとを有するものとし、上記の第１方向において第２側壁部分４２５ｂを第１側壁部分４２５ａと第３側壁部分４２５ｃとの間に位置させている。この変形例の筐体４２０Ｂを備えたカートリッジ４にあっても、既述したカートリッジ４，５と同様の効果を奏することができる。
【０１１６】
Ｃ−５．その他の変形例：
本発明は、インクジェットプリンターおよびそのインクカートリッジに限らず、インク以外の他の液体を噴射する任意の液体噴射装置およびその液体を収容するためのカートリッジ（液体収容容器）にも適用することができる。例えば、以下のような各種の液体噴射装置およびその液体収容容器に適用可能である。
（１）ファクシミリ装置等の画像記録装置
（２）液晶ディスプレイ等の画像表示装置用のカラーフィルタの製造に用いられる色材噴射装置
（３）有機ＥＬ(Electro Luminescence)ディスプレイや、面発光ディスプレイ (Field Emission Display、ＦＥＤ)等の電極形成に用いられる電極材噴射装置
（４）バイオチップ製造に用いられる生体有機物を含む液体を噴射する液体噴射装置
（５）精密ピペットとしての試料噴射装置
（６）潤滑油の噴射装置
（７）樹脂液の噴射装置
（８）時計やカメラ等の精密機械にピンポイントで潤滑油を噴射する液体噴射装置
（９）光通信素子等に用いられる微小半球レンズ（光学レンズ）などを形成するために紫外線硬化樹脂液等の透明樹脂液を基板上に噴射する液体噴射装置
（１０）基板などをエッチングするために酸性又はアルカリ性のエッチング液を噴射する液体噴射装置
（１１）他の任意の微小量の液滴を吐出させる液体噴射吐出ヘッドを備える液体噴射装置
【０１１７】
なお、「液滴」とは、液体噴射装置から吐出される液体の状態をいい、粒状、涙状、糸状に尾を引くものも含むものとする。また、ここでいう「液体」とは、液体噴射装置が噴射させることができるような材料であれば良い。例えば、「液体」は、物質が液相であるときの状態の材料であれば良く、粘性の高い又は低い液状態の材料、および、ゾルゲル法での液体材料、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。
【０１１８】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【０１１９】
図３７〜図４４に示す第３変形例と第４変形例の筐体４２０Ｂ，４２０Ｃにおいて、第２側壁４２６Ａ，４２６Ｂを、第１側壁４２５Ａ，４２５Ｂと背中合わせの形態としてもよい。具体的には、第２側壁４２６Ａ，４２６Ｂを、第１側壁部分４２５ａ、第２側壁部分４２５ｂ、第３側壁部分４２５ｃと同様な、第１側壁部分４２６ａ、第２側壁部分４２６ｂ、第３側壁部分４２６ｃを有するようにしてもよい。
【符号の説明】
【０１２０】
１…液体噴射システム
４…カートリッジ（第１のカートリッジ）
５…カートリッジ（第２のカートリッジ）
６…記録部
７…カートリッジ装着部
８…キャリッジ
８ｓ…吐出ヘッド
９…排出部
１０…プリンター
１２…装置本体
１４…ハウジング
１６…用紙供給部カバー
１６ａ…載置面
１８…記録部保護カバー
２０…排出部カバー
２２…操作部
２４…用紙供給部
２６…用紙開口部
２８…用紙ガイド
５０…搬送ローラー軸
６０…制御部
６２…キャリッジガイドレール
８１…キャリッジ側壁
８２…キャリッジ側壁
４０１…蓋
４０２a…貫通孔
４０２ｂ…貫通孔
４０２ｃ…貫通孔
４０３…エアー溝
４０４…シール部材
４０５…係合部
４０６…供給孔側液体保持部材
４０７…液体供給孔
４０７ｂ…周縁陥没部
４０９…軸受部
４１０…回路基板
４１１…基板載置部
４１２…端子
４１３…開口
４１４…凸部
４２０…筐体
４２０Ａ…筐体
４２０Ｂ…筐体
４２０Ｃ…筐体
４２１…凹部
４２２…底壁
４２３…第１端壁
４２３ｔ…係合突起
４２４…第２端壁
４２５…第１側壁
４２５Ａ…第１側壁
４２５Ｂ…第１側壁
４２５ａ…第１側壁部分
４２５ａ１…第１側壁領域
４２５ａ２…第２側壁領域
４２５ａ３…第３側壁領域
４２５ａ４…第４側壁領域
４２５ｂ…第２側壁部分
４２５ｂ２…第２側壁領域
４２５ｂ４…第４側壁領域
４２５ｃ…第３側壁部分
４２５ｃ１…第１側壁領域
４２５ｃ４…第４側壁領域
４２６…第２側壁
４２６Ａ…第２側壁
４２６ａ…第１側壁部分
４２６ａ１…第１側壁領域
４２６ａ２…第２側壁領域
４２６ａ３…第３側壁領域
４２６ａ４…第４側壁領域
４２６ｂ…第２側壁部分
４２６ｂ２…第２側壁領域
４２６ｂ４…第４側壁領域
４２６ｃ…第３側壁部分
４２６ｃ１…第１側壁領域
４２６ｃ４…第４側壁領域
４２７…半円状突起
４２８…リブ
４２９…弧状突起
４３０…蓋部
４３１…外方延在部
４３２…屈曲延在部
４３３…傾斜延在部
４３４…大気連通孔
４３６…蓋裏面シール部材
４３７…シール部材受け座
４６０…液体保持部材
５０１…蓋
５０２ａ…貫通孔
５０２ｂ…貫通孔
５０２ｃ…貫通孔
５０３…エアー溝
５０４…シール部材
５０５…係合部
５０６…供給孔側液体保持部材
５０７ｃ…インク供給孔
５０７ｍ…インク供給孔
５０７ｙ…インク供給孔
５１０…回路基板
５１１…基板載置部
５１２…端子
５１３…開口
５１４…凸部
５２０…筐体
５２１ｃ…凹部
５２１ｍ…凹部
５２１ｙ…凹部
５２２…底壁
５２３…第１端壁
５２４…第２端壁
５２５…第１側壁
５２５ａ…第１側壁部分
５２５ａ１…第１側壁領域
５２５ａ２…第２側壁領域
５２５ａ３…第３側壁領域
５２５ａ４…第４側壁領域
５２５ｂ…第２側壁部分
５２５ｂ２…第２側壁領域
５２５ｂ４…第４側壁領域
５２５ｃ…第３側壁部分
５２５ｃ１…第１側壁領域
５２５ｃ４…第４側壁領域
５２６…第２側壁
５２６ａ…第１側壁部分
５２６ａ１…第１側壁領域
５２６ａ２…第２側壁領域
５２６ａ３…第３側壁領域
５２６ａ４…第４側壁領域
５２６ｂ…第２側壁部分
５２６ｂ２…第２側壁領域
５２６ｂ４…第４側壁領域
５２６ｃ…第３側壁部分
５２６ｃ１…第１側壁領域
５２６ｃ４…第４側壁領域
５２７…半円状突起
５３０…蓋部
５３１…外方延在部
５３２…屈曲延在部
５３３…傾斜延在部
５３４…大気連通孔
５３６…蓋裏面シール部材
５３７…シール部材受け座
５６０…液体保持部材
５７１…仕切壁
５７２…仕切壁
５７３…仕切壁
５８０…第１溝
５８１…第２溝
６００…カートリッジ
６０１…蓋
６０６…供給孔側液体保持部材
６１０…回路基板
６２０…筐体
６２０Ａ…筐体
６２１ｂ…凹部
６２２…底壁
６２３…第１端壁
６２４…第２端壁
６２５…第１側壁
６２５ａ…第１側壁部分
６２５ａ１…第１側壁領域
６２５ａ２…第２側壁領域
６２５ｂ…第２側壁部分
６２５ｃ…第３側壁部分
６２５ｃ１…第１側壁領域
６２５ｃ２…第２側壁領域
６２６…第２側壁
６２６ａ…第１側壁部分
６２６ａ１…第１側壁領域
６２６ａ２…第２側壁領域
６２６ｂ…第２側壁部分
６２６ｃ…第３側壁部分
６２６ｃ１…第１側壁領域
６２６ｃ２…第２側壁領域
６６０…供給孔側液体保持部材
６７１…仕切壁
７０３…液体導入基部
７０３ｓ…金属メッシュ
７０４…吸引孔
７０５…弾性部材
７１０ｂ…液体導入部
７１０ｃ…液体導入部
７１０ｍ…液体導入部
７１０ｙ…液体導入部
７２０…コイルバネ
７２１…カートリッジ間突出部
７２３…案内突出部
７２４…側壁側突出部
７３０…端壁部
７４１…カートリッジ第１係合突起
７４２…カートリッジ第２係合突起
７５０…係合孔
８０１…カートリッジ係合腕
８１０…電極集合体
Ｐ…用紙
Ａ…符号
Ｂ…符号
ＥＬ…有機
【図１】
2015168166.tif 000003
【図２】
2015168166.tif 000004
【図３】
2015168166.tif 000005
【図４】
2015168166.tif 000006
【図５】
2015168166.tif 000007
【図６】
2015168166.tif 000008
【図７】
2015168166.tif 000009
【図８】
2015168166.tif 000010
【図９】
2015168166.tif 000011
【図１０】
2015168166.tif 000012
【図１１】
2015168166.tif 000013
【図１２】
2015168166.tif 000014
【図１３】
2015168166.tif 000015
【図１４】
2015168166.tif 000016
【図１５】
2015168166.tif 000017
【図１６】
2015168166.tif 000018
【図１７】
2015168166.tif 000019
【図１８】
2015168166.tif 000020
【図１９】
2015168166.tif 000021
【図２０】
2015168166.tif 000022
【図２１】
2015168166.tif 000023
【図２２】
2015168166.tif 000024
【図２３】
2015168166.tif 000025
【図２４】
2015168166.tif 000026
【図２５】
2015168166.tif 000027
【図２６】
2015168166.tif 000028
【図２７】
2015168166.tif 000029
【図２８】
2015168166.tif 000030
【図２９】
2015168166.tif 000031
【図３０】
2015168166.tif 000032
【図３１】
2015168166.tif 000033
【図３２】
2015168166.tif 000034
【図３３】
2015168166.tif 000035
【図３４】
2015168166.tif 000036
【図３５】
2015168166.tif 000037
【図３６】
2015168166.tif 000038
【図３７】
2015168166.tif 000039
【図３８】
2015168166.tif 000040
【図３９】
2015168166.tif 000041
【図４０】
2015168166.tif 000042
【図４１】
2015168166.tif 000043
【図４２】
2015168166.tif 000044
【図４３】
2015168166.tif 000045
【図４４】
2015168166.tif 000046